(57)【特許請求の範囲】
【請求項１】
動画アスペクト比を有する時間的に連続な複数の単位画像によって形成される動画像の当該単位画像の一部に、上記動画像と関連付けられ、上記動画アスペクト比とは異なる静止画アスペクト比を有する静止画像を重畳するように、上記単位画像と上記静止画像とを合成して合成画像を生成する合成画像生成部と、
表示部の表示画面に上記合成画像を表示する表示制御部と
を具える表示制御装置。
【請求項２】
上記表示制御部は、
上記表示部の上記表示画面に上記合成画像を表示した後に当該合成画像を構成する上記単位画像のみを表示し、当該単位画像のみを表示した後に当該単位画像に換えて自動的に上記動画像を表示する
請求項１に記載の表示制御装置。
【請求項３】
上記合成画像生成部は、
上記動画像の上記単位画像として当該動画像を形成する複数の上記単位画像のうち時間的に先頭の先頭単位画像と、上記静止画像とを合成して上記合成画像を生成する
請求項２に記載の表示制御装置。
【請求項４】
上記合成画像生成部は、
上記先頭単位画像の画像横方向の右端部及び左端部を、上記静止画像の画像横方向の右端及び左端からはみ出させるように、上記先頭単位画像と上記静止画像とを合成して上記合成画像を生成する
請求項３に記載の表示制御装置。
【請求項５】
上記合成画像の上記先頭単位画像と上記静止画像との境界部分に、上記先頭単位画像への上記静止画像の重畳を強調する重畳強調処理を施す重畳強調処理部
を具える請求項４に記載の表示制御装置。
【請求項６】
上記合成画像生成部は、
上記動画像の上記先頭単位画像として当該動画像の記録用の動画像サイズの本単位画像と、上記静止画像として当該静止画像の記録用の静止画像サイズの本静止画像とを合成して上記合成画像を生成し、又は上記動画像の上記先頭単位画像として上記動画像サイズの上記本単位画像から画素を間引いて縮小した単位画サムネイルと、上記静止画像として上記静止画像サイズの上記本静止画像から画素を間引いて縮小した静止画サムネイルとを合成して上記合成画像を生成する
請求項５に記載の表示制御装置。
【請求項７】
動画アスペクト比を有する時間的に連続な複数の単位画像によって形成される動画像の当該単位画像の一部に、上記動画像と関連付けられ、上記動画アスペクト比とは異なる静止画アスペクト比を有する静止画像を重畳するように、上記単位画像と上記静止画像とを合成して合成画像を生成する合成画像生成ステップと、
上記合成画像を表示する表示ステップと
を具える表示制御方法。
【請求項８】
コンピュータに、
動画アスペクト比を有する時間的に連続な複数の単位画像によって形成される動画像の当該単位画像の一部に、上記動画像と関連付けられ、上記動画アスペクト比とは異なる静止画アスペクト比を有する静止画像を重畳するように、上記単位画像と上記静止画像とを合成して合成画像を生成する合成画像生成ステップと、
上記合成画像を表示する表示ステップと
を実行させるための表示制御プログラム。
【発明の詳細な説明】
【技術分野】
【０００１】
本発明は表示制御装置、表示制御方法及び表示制御プログラムに関し、例えば被写体を静止画像として撮像し得る（以下、被写体を静止画像として撮像することを静止画撮像とも呼ぶ）と共に、動画像として撮像し得る（以下、被写体を動画像として撮像することを動画撮像とも呼ぶ）デジタルスチルカメラに適用して好適なものである。
【背景技術】
【０００２】
従来のデジタルスチルカメラは、被写体を静止画撮像すると、その撮像結果として静止画像を生成して記録していた。
【０００３】
またデジタルスチルカメラは、被写体を静止画撮像したとき、静止画像から画素を間引いて縮小させた静止画像（以下、これを静止画サムネイルとも呼ぶ）も生成して記録していた。
【０００４】
さらにデジタルスチルカメラは、被写体を動画撮像すると、その撮像結果として時間的に連続な複数の単位画像（すなわち、フィールド画像又はフレーム画像）によって形成される動画像を生成して記録していた。
【０００５】
さらにまたデジタルスチルカメラは、被写体を動画撮像したとき、動画像から当該動画像を代表するシーンの単位画像を抽出すると共に、その単位画像から画素を間引いて縮小させた単位画像（以下、これを単位画サムネイルとも呼ぶ）も生成して記録していた。
【０００６】
そしてデジタルスチルカメラは、表示部の表示画面に、複数の静止画サムネイルと、複数の単位画サムネイルとを、マトリクス状に配置して一覧表示していた。
【０００７】
これによりデジタルスチルカメラは、表示部の表示画面に表示した静止画サムネイル及び単位画サムネイルによって、再生対象の静止画像や動画像を検索し得るようにしていた（例えば、特許文献１参照）。
【特許文献１】特開２００６−２９５２３６公報（第８頁、第１１頁、図１０）
【発明の開示】
【発明が解決しようとする課題】
【０００８】
ところで、従来のデジタルスチルカメラとしては、被写体を単独で静止画撮像し、また単独で動画撮像することに加えて、１回のシャッタ操作に応じて被写体を時分割で静止画撮像及び動画撮像する（すなわち、静止画撮像した直後に、自動的に動画撮像する）ものもある。
【０００９】
ところが、かかる構成のデジタルスチルカメラでも、先に説明した従来のデジタルスチルカメラと同様に表示部の表示画面に、複数の静止画サムネイルと、複数の単位画サムネイルとを、マトリクス状に配置して一覧表示していた。
【００１０】
すなわち、かかる構成のデジタルスチルカメラは、被写体を時分割で静止画撮像及び動画撮像して生成した、関連する静止画像及び動画像の静止画サムネイル及び単位画サムネイルを、他の静止画サムネイルや単位画サムネイルと区別して表示するようには考えられていなかった。
【００１１】
本発明は以上の点を考慮してなされたもので、関連付けられている静止画像及び動画像を容易に判別させ得る表示制御装置、表示制御方法及び表示制御プログラムを提案しようとするものである。
【課題を解決するための手段】
【００１２】
かかる課題を解決するため本発明においては、動画アスペクト比を有する時間的に連続な複数の単位画像によって形成される動画像の当該単位画像の一部に、動画像と関連付けられ、動画アスペクト比とは異なる静止画アスペクト比を有する静止画像を重畳するように、単位画像と静止画像とを合成して合成画像を生成し、表示部の表示画面に当該合成画像を表示するようにした。
【００１３】
従って本発明では、表示部の表示画面に合成画像として、関連付けられている静止画像及び動画像の当該静止画像と動画像の単位画像とを、他の静止画像や動画像の単位画像とは区別して表示することができる。
【発明の効果】
【００１４】
本発明によれば、動画アスペクト比を有する時間的に連続な複数の単位画像によって形成される動画像の当該単位画像の一部に、動画像と関連付けられ、動画アスペクト比とは異なる静止画アスペクト比を有する静止画像を重畳するように、単位画像と静止画像とを合成して合成画像を生成し、表示部の表示画面に当該合成画像を表示するようにしたことにより、表示部の表示画面に合成画像として、関連付けられている静止画像及び動画像の当該静止画像と動画像の単位画像とを、他の静止画像や動画像の単位画像とは区別して表示することができ、かくして関連付けられている静止画像及び動画像を容易に判別させ得る表示制御装置、表示制御方法及び表示制御プログラムを実現することができる。
【発明を実施するための最良の形態】
【００１５】
以下図面について、本発明の一実施の形態を詳述する。
【００１６】
（１）実施の形態
（１−１）デジタルスチルカメラの外観構成
図１（Ａ）乃至（Ｃ）において、１は全体として本発明を適用したデジタルスチルカメラの外観構成を示す。かかるデジタルスチルカメラ１は、箱状の筐体でなる本体部２を有している。
【００１７】
本体部２において上面２Ａには、シャッタボタン３が設けられている。また本体部２の正面２Ｂには、撮像レンズ４が配置されている。
【００１８】
これにより本体部２は、正面２Ｂと共に撮像レンズ４を被写体に向けた状態でシャッタボタン３が押下操作されると、その被写体を静止画撮像や動画撮像し得るようになされている。
【００１９】
さらに本体部２の正面２Ｂには、当該本体部２の内部に収納されたマイクロホンにより、外部の音声を集音するための穴部２ＢＸが穿設されている。
【００２０】
これにより本体部２は、被写体に対する動画撮像の際に外部の音声を、穴部２ＢＸを介して内部のマイクロホンで集音し得るようになされている。
【００２１】
さらにまた本体部２の背面２Ｃには、液晶ディスプレイ又は有機ＥＬ（Electro  Luminescence）ディスプレイ等でなる表示部５が、四角形状の表示画面５Ａを露出させて配置されている。
【００２２】
かかる表示部５は、表示画面５Ａが例えば16：９のアスペクト比（以下、これを画面アスペクト比とも呼ぶ）を有するように形成されている。
【００２３】
因みに、表示画面５Ａの画面アスペクト比は、当該表示画面５Ａの画面横方向（すなわち、画面水平方向）の長さと、画面縦方向（すなわち、画面垂直方向）の長さとの比である。
【００２４】
さらに本体部２の背面２Ｃには、各種設定用や表示用等の種々の命令を入力するための種々の操作ボタン６が設けられている。
【００２５】
これにより本体部２は、ユーザによる操作ボタン６の操作に応じて表示部５の表示画面５Ａに、被写体を静止画撮像して生成した静止画像データに基づいて静止画像を表示し得るようになされている。
【００２６】
また本体部２は、ユーザによる操作ボタン６の操作に応じて表示部５の表示画面５Ａに、被写体を動画撮像して生成した動画像データに基づいて動画像を表示し得るようになされている。
【００２７】
これに加えて本体部２の側面２Ｄには、半導体メモリが内蔵された小型偏平矩形状の記録メディアを装填するためのメディアスロット７が設けられている。
【００２８】
これにより本体部２は、被写体を静止画撮像して生成した静止画像データや、被写体を動画撮像して生成した動画像データを記録メディアに記録し得るようになされている。
【００２９】
さらにまた本体部２の側面２Ｄには、外部のテレビジョン受像機やパーソナルコンピュータ等の外部装置（図示せず）と接続するための外部端子８も設けられている。
【００３０】
これにより本体部２は、外部端子８を介して外部装置と接続された場合、例えばユーザによる操作ボタン６の操作に応じて外部装置へ、被写体を静止画撮像して生成した静止画像データや、被写体を動画撮像して生成した動画像データを出力する。
【００３１】
よって本体部２は、外部装置でも、静止画像データに基づく静止画像や、動画像データに基づく動画像を表示させ得るようになされている。
【００３２】
（１−２）デジタルスチルカメラの回路構成
次いで、図２を用いてデジタルスチルカメラ１の回路構成について説明する。かかるデジタルスチルカメラ１には、中央処理ユニット（CPU:Central  Processing  Unit）１０と共に、バッテリを有する電源ブロック１１等の各種回路ブロックが設けられている。
【００３３】
中央処理ユニット１０は、電源ブロック１１から供給される電力により動作すると共に、当該電源ブロック１１から電力を各回路ブロックへも供給させて、これら各回路ブロックも適宜動作させる。
【００３４】
また中央処理ユニット１０は、ＲＯＭ（Read  Only  Memory）１２から、これに予め記憶された表示制御プログラム等の各種プログラムを、バス１３を介してＲＡＭ（Random  Access  Memory）１４に読み出す。
【００３５】
そして中央処理ユニット１０は、ＲＡＭ１４上で展開した各種プログラムに従ってデジタルスチルカメラ１全体を制御すると共に、シャッタボタン３や操作ボタン６でなる操作部１５からユーザ操作に応じて入力される各種命令に応じた各種処理を実行する。
【００３６】
これにより中央処理ユニット１０は、静止画撮像モード時、カメラブロック１６に制御信号を送出して当該制御信号によりカメラブロック１６を制御して動作させる。
【００３７】
ここで、カメラブロック１６は、上述した撮像レンズ４や、露出を調整するための絞り等の光学素子が光軸に沿って順次配置されたカメラレンズ部１６Ａを有している。
【００３８】
またカメラブロック１６は、カメラレンズ部１６Ａの後段に配置された、ＣＣＤ（Charge  Coupled  Device）イメージセンサやＣＭＯＳ（Complementary  Metal  Oxide  Semiconductor）イメージセンサ等の撮像素子１６Ｂも有している。
【００３９】
撮像素子１６Ｂは、四角形状の受光面が例えば４：３のアスペクト比（以下、これを受光面アスペクト比とも呼ぶ）を有するように形成されている。因みに、受光面の受光面アスペクト比は、当該受光面の横方向の長さと縦方向の長さとの比である。
【００４０】
さらにカメラブロック１６には、信号処理部１６Ｃやアナログデジタル変換器１６Ｄ、カメラコントローラ１６Ｅも設けられている。
【００４１】
そしてカメラコントローラ１６Ｅは、中央処理ユニット１０から与えられた制御信号に応じてカメラレンズ部１６Ａを駆動制御して被写体に対するフォーカスや露出等を調整する。
【００４２】
またカメラコントローラ１６Ｅは、中央処理ユニット１０から与えられた制御信号に応じて撮像素子１６Ｂや信号処理部１６Ｃ、アナログデジタル変換器１６Ｄも制御する。
【００４３】
これにより撮像素子１６Ｂは、被写体から到来してカメラレンズ部１６Ａを透過した撮像光Ｌ１を受光面で受光する。
【００４４】
そして撮像素子１６Ｂは、受光面で受光した撮像光Ｌ１を、順次光電変換して当該撮像光Ｌ１に応じたアナログの光電変換信号を生成し、当該生成した光電変換信号を信号処理部１６Ｃに順次送出する。
【００４５】
信号処理部１６Ｃは、撮像素子１６Ｂから光電変換信号が与えられる毎に、その光電変換信号に画像生成用の信号処理を施して１つの画像の画像信号を順次生成する。
【００４６】
また信号処理部１６Ｃは、このようにして順次生成した画像信号をアナログデジタル変換器１６Ｄによりアナログデジタル変換処理してデジタルの画像データとしてバッファメモリ２１に送出し一時記録する。
【００４７】
ここで、カメラブロック１６により生成される画像データは、当該画像データに基づく画像が例えば、撮像素子１６Ｂの受光面の画素数（以下、これを有効画素数とも呼ぶ）と同一の画素数を有し、かつ受光面アスペクト比と同じアスペクト比を有している。
【００４８】
この際、画像加工部２２は、バッファメモリ２１から、一時記録された画像データを順次読み出し、当該読み出した画像データに、画面アスペクト比に応じてトリミング処理（又は、クロップ処理）を施す。
【００４９】
また画像加工部２２は、その画像データに対し、表示画面５Ａの解像度（すなわち、表示画面５Ａの単位長さ当たりの画素数）に応じて画素を間引く画像縮小処理を施す。
【００５０】
これにより画像加工部２２は、例えば16：９のアスペクト比を有し時間的に連続な複数の単位画像によって形成される撮像画像の撮像画像データを生成する。
【００５１】
因みに、単位画像の16：９のアスペクト比は、当該単位画像における画像水平方向（以下、これを画像横方向とも呼ぶ）の長さと、画像垂直方向（以下、これを画像縦方向とも呼ぶ）の長さとの比である。
【００５２】
そして画像加工部２２は、このようにして撮像画像データを生成しながら、その撮像画像データを中央処理ユニット１０に送出する。
【００５３】
この際、中央処理ユニット１０は、画像加工部２２から与えられた撮像画像データをデジタルアナログ変換器２３によりデジタルアナログ変換処理してアナログの撮像画像信号として表示コントローラ２４に送出する。
【００５４】
表示コントローラ２４は、中央処理ユニット１０から与えられた撮像画像信号を表示部５に送出することにより、当該表示部５の表示画面５Ａに撮像画像信号に基づく撮像画像を表示する。
【００５５】
このようにして中央処理ユニット１０は、表示部５の表示画面５Ａに表示した撮像画像を介して、ユーザに被写体の撮像状態を確認させることができるようになされている。
【００５６】
この状態で中央処理ユニット１０は、ユーザによりシャッタボタン３が押下操作され操作部１５から静止画撮像命令が入力されると、その入力時点にカメラブロック１６で生成されバッファメモリ２１に一時記録された１つの画像データを静止画撮像用とする。
【００５７】
そして画像加工部２２は、バッファメモリ２１から静止画撮像用の画像データを読み出し、当該読み出した静止画撮像用の画像データに、静止画像用として予め選定された４：３のアスペクト比に応じてトリミング処理（又は、クロップ処理）を施す。
【００５８】
また画像加工部２２は、その静止画撮像用の画像データに、静止画像について予め選定された記録用の画像サイズ（以下、これを静止画像サイズとも呼ぶ）に応じて画素を間引く画像縮小処理を施す。因みに、静止画像サイズは、静止画像の画像横方向の画素数と画像縦方向の画素数とで表される。
【００５９】
これにより画像加工部２２は、静止画撮像用の画像データをもとに、４：３のアスペクト比を有する記録用の静止画像の静止画像データを生成する。
【００６０】
因みに、以下の説明では、静止画撮像用の画像データをもとに生成した記録用の静止画像の静止画像データを、本静止画像データとも呼び、当該本静止画像データに基づく静止画像を、本静止画像とも呼ぶ。
【００６１】
また、以下の説明では、静止画像用として予め選定された４：３のアスペクト比を、静止画アスペクト比とも呼ぶ。
【００６２】
そして静止画アスペクト比は、静止画像の画像横方向の長さ（以下、これを静止画横長さとも呼ぶ）と、画像縦方向の長さ（以下、これを静止画縦長さとも呼ぶ）との比である。
【００６３】
図３に示すように、画像加工部２２は、具体的にはバッファメモリ２１から静止画撮像用として、４：３のアスペクト比（すなわち、受光面アスペクト比）を有する画像Ｇ１の画像データを読み出す。
【００６４】
そして画像加工部２２は、その画像Ｇ１において画像縦方向の上端部から、画像横方向の右端から左端までの帯状部分（以下、これを上側帯状部分とも呼ぶ）Ｇ１１を削除する。
【００６５】
また画像加工部２２は、画像Ｇ１において画像縦方向の下端部からも、画像横方向の右端から左端までの帯状部分（以下、これを下側帯状部分とも呼ぶ）Ｇ１２を削除する。
【００６６】
このようにして画像加工部２２は、静止画撮像用の画像データに基づく、４：３のアスペクト比を有する画像Ｇ１から、16：９のアスペクト比を有する画像Ｇ２を生成する。
【００６７】
さらに画像加工部２２は、16：９のアスペクト比を有する画像Ｇ２において画像横方向の右端部から、画像縦方向の上端から下端までの帯状部分（以下、これを右側帯状部分とも呼ぶ）Ｇ２１を削除する。
【００６８】
さらにまた画像加工部２２は、16：９のアスペクト比を有する画像Ｇ２において画像横方向の左端部からも、画像縦方向の上端から下端までの帯状部分（以下、これを左側帯状部分とも呼ぶ）Ｇ２２を削除する。
【００６９】
このようにして画像加工部２２は、16：９のアスペクト比を有する画像Ｇ２から、静止画アスペクト比を有する静止画像Ｇ３を生成する。
【００７０】
そして画像加工部２２は、静止画像サイズに応じて、静止画像Ｇ３から静止画アスペクト比は変えずに画素を間引いて（すなちわ、画像縮小処理を施して）、本静止画像ＭＧ１の本静止画像データを生成する。
【００７１】
画像加工部２２は、このようにして本静止画像データを生成すると、当該生成した本静止画像データをバッファメモリ２１に送出して一時記録する。
【００７２】
この際、静止画像処理部２５は、バッファメモリ２１から、一時記録された本静止画像データを読み出す。
【００７３】
そして静止画像処理部２５は、本静止画像データを静止画圧縮符号化方式で圧縮符号化して圧縮静止画像データを生成し、当該生成した圧縮静止画像データをバッファメモリ２１に送出して一時記録する。
【００７４】
また中央処理ユニット１０は、バッファメモリ２１から圧縮静止画像データを読み出し、当該読み出した圧縮静止画像データを、メディアインタフェース２６を介して記録メディア２７に送出する。
【００７５】
これにより中央処理ユニット１０は、記録メディア２７に圧縮静止画像データを記録する。このようにして中央処理ユニット１０は、ユーザに対し被写体を静止画撮像させ得るようになされている。
【００７６】
また中央処理ユニット１０は、動画撮像モード時、上述した静止画撮像モード時と同様に表示部５の表示画面５Ａに撮像画像信号に基づく撮像画像を表示して、ユーザに被写体の撮像状態を確認させることができるようになされている。
【００７７】
この状態で中央処理ユニット１０は、ユーザによりシャッタボタン３が押下操作され操作部１５から動画撮像開始命令が入力されると、その入力時点から、予め選定された時間に達する時点まで、又はシャッタボタン３が再び押下操作され操作部１５から動画撮像終了命令が入力される時点までの期間を動画撮像期間とする。
【００７８】
そして中央処理ユニット１０は、その動画撮像期間にカメラブロック１６で順次生成されバッファメモリ２１に一時記録される複数の画像データを動画撮像用とする。
【００７９】
この際、画像加工部２２は、バッファメモリ２１から動画撮像用の複数の画像データを順次読み出しながら、当該読み出した動画撮像用の複数の画像データに、動画像用として予め選定された16：９のアスペクト比に応じてトリミング処理（又は、クロップ処理）を施す。
【００８０】
また画像加工部２２は、その動画撮像用の複数の画像データに、動画像について予め選定された記録用の画像サイズ（以下、これを動画像サイズとも呼ぶ）に応じて、画素を間引く画像縮小処理を施す。
【００８１】
因みに、動画像サイズは、動画像を形成する単位画像（すなわち、フィールド画像又はフレーム画像）の画像横方向の画素数と画像縦方向の画素数とで表される。
【００８２】
これにより画像加工部２２は、動画撮像用の複数の画像データをもとに、16：９のアスペクト比を有する時間的に連続な複数の単位画像によって形成される記録用の動画像の動画像データを生成する。
【００８３】
因みに、以下の説明では、動画撮像用の複数の画像データをもとに生成した記録用の動画像の動画像データを、本動画像データとも呼び、当該本動画像データに基づく動画像を、本動画像とも呼ぶ。
【００８４】
また、以下の説明では、本動画像を形成する複数の単位画像を、それぞれ本単位画像とも呼び、当該本単位画像の単位画像データを、本単位画像データとも呼ぶ。
【００８５】
さらに、以下の説明では、動画像用として予め選定された16：９のアスペクト比を、動画アスペクト比とも呼ぶ。
【００８６】
そして動画アスペクト比は、動画像を形成する単位画像において画像横方向の長さ（以下、これを動画横長さとも呼ぶ）と、画像縦方向の長さ（以下、これを動画縦長さとも呼ぶ）との比である。
【００８７】
図４に示すように、画像加工部２２は、具体的にはバッファメモリ２１から動画撮像用として、４：３のアスペクト比（すなわち、受光面アスペクト比）を有し、時間的に連続な複数の画像Ｇ１の複数の画像データを読み出す。
【００８８】
そして画像加工部２２は、複数の画像Ｇ１それぞれにおいて画像縦方向の上端部から上側帯状部分Ｇ１１を削除すると共に、下端部から下側帯状部分Ｇ１２を削除する。
【００８９】
このようにして画像加工部２２は、４：３のアスペクト比を有する複数の画像Ｇ１から、動画アスペクト比を有する複数の単位画像Ｇ２を生成する。
【００９０】
そして画像加工部２２は、動画像サイズに応じて、複数の単位画像Ｇ２からそれぞれ動画アスペクト比は変えずに画素を間引いて（すなわち、画像縮小処理を施して）、複数の本単位画像ＭＶ１乃至ＭＶＮを生成する。
【００９１】
これより画像加工部２２は、時間的に連続な複数の本単位画像ＭＶ１乃至ＭＶＮによって形成される本動画像ＭＶＸの本動画像データを生成する。
【００９２】
画像加工部２２は、このようにして本動画像データを生成すると、当該生成した本動画像データをバッファメモリ２１に送出して一時記録する。
【００９３】
この際、動画像処理部２８は、バッファメモリ２１から、一時記録された本動画像データを読み出し、当該読み出した本動画像データを動画像圧縮符号化方式で圧縮符号化して圧縮動画像データを生成し、当該生成した圧縮動画像データをバッファメモリ２１に送出して一時記録する。
【００９４】
また中央処理ユニット１０は、動画撮像期間には、マイクロホン２９により周辺の音声を集音してアナログの音声信号を生成すると共に、その音声信号をアナログデジタル変換器３０によりアナログデジタル変換してデジタルの音声データとして音声処理部３１に送出する。
【００９５】
音声処理部３１は、マイクロホン２９からアナログデジタル変換器３０を介して与えられた音声データを音声圧縮符号化方式で圧縮符号化して圧縮音声データを生成し、当該生成した圧縮音声データをバッファメモリ２１に送出して一時記録する。
【００９６】
そして中央処理ユニット１０は、バッファメモリ２１から、これに一時記録された圧縮動画像データと圧縮音声データとを読み出しながら時分割多重化することにより動画像ストリームを生成する。
【００９７】
また中央処理ユニット１０は、動画像ストリームを、メディアインタフェース２６を介して記録メディア２７に送出することにより、当該記録メディア２７に動画像ストリームを記録する。このようにして中央処理ユニット１０は、ユーザに対し被写体を動画撮像させ得るようになされている。
【００９８】
ところで中央処理ユニット１０は、このように被写体を単独で静止画撮像し、また単独で動画撮像するのみならず、ユーザによるシャッタボタン３の１回の押下操作に応じて被写体を時分割で静止画撮像及び動画撮像することもできるようになされている。
【００９９】
中央処理ユニット１０は、被写体を時分割で静止画撮像及び動画撮像する時分割撮像モード時、上述した静止画撮像モード時と同様に表示部５の表示画面５Ａに撮像画像信号に基づく撮像画像を表示して、ユーザに被写体の撮像状態を確認させることができる。
【０１００】
この状態で中央処理ユニット１０は、ユーザによりシャッタボタン３が１回押下操作され操作部１５から時分割撮像命令が入力されると、その入力時点に被写体の静止画撮像を実行した後、直ちに動画撮像も自動的に実行する。
【０１０１】
この場合、中央処理ユニット１０は、時分割撮像命令の入力時点にカメラブロック１６で生成されバッファメモリ２１に一時記録された１つの画像データを静止画撮像用とする。
【０１０２】
これにより中央処理ユニット１０は、上述した静止画撮像モード時と同様に、その静止画撮像用の画像データをもとに圧縮静止画像データを生成して記録メディア２７に記録する。
【０１０３】
また中央処理ユニット１０は、カメラブロック１６により静止画撮像用の画像データの生成に引き続き、次の画像データが生成されると、当該次の画像データの生成時点から、予め選定された時間に達する時点までの期間、又はシャッタボタン３が再び押下操作され操作部１５から時分割撮像終了命令が入力される時点までの期間を動画撮像期間とする。
【０１０４】
そして中央処理ユニット１０は、その動画撮像期間にカメラブロック１６で順次生成されバッファメモリ２１に一時記録される複数の画像データを動画撮像用とする。
【０１０５】
因みに、動画撮像用の複数の画像データは、カメラブロック１６により静止画撮像用の画像データの次に生成された画像データから、動画撮像期間の終了時点に生成された画像データまでの複数の画像データである。
【０１０６】
これにより中央処理ユニット１０は、上述した動画撮像モード時と同様に、その動画撮像用の複数の画像データをもとに動画像ストリームを生成して記録メディア２７に記録する。
【０１０７】
このようにして中央処理ユニット１０は、被写体を時分割で静止画撮像及び動画撮像させることもできるようになされている。
【０１０８】
ここで中央処理ユニット１０は、被写体を静止画撮像して圧縮静止画像データを生成すると、当該圧縮静止画像データをファイル化して記録メディア２７に記録する。
【０１０９】
また中央処理ユニット１０は、被写体を動画撮像して動画像ストリームを生成すると、当該動画像ストリームをファイル化して記録メディア２７に記録する。
【０１１０】
さらに中央処理ユニット１０は、ファイル化した圧縮静止画像データ（以下、これを静止画ファイルとも呼ぶ）や、ファイル化した動画像ストリーム（以下、これを動画ファイルとも呼ぶ）に、それぞれ固有のファイル名を付す。
【０１１１】
これにより中央処理ユニット１０は、ファイル名によって静止画ファイル及び動画ファイルをそれぞれ管理し得るようにしている。
【０１１２】
図５に示すように、静止画ファイルや動画ファイルに付されるファイル名ＦＮＡは、ファイル名本体ＦＨの最後尾にピリオドＰＲと拡張子ＫＣとが順に繋げられて形成されている。
【０１１３】
この場合、ファイル名本体ＦＨには、静止画ファイルと動画ファイルとを判別するためのファイル判別情報ＦＨ１と、当該静止画ファイル及び動画ファイルに対してナンバリングされた通し番号ＦＨ２とが格納されている。
【０１１４】
そしてファイル名本体ＦＨのファイル判別情報ＦＨ１は、例えば、静止画ファイルの場合「ＩＭＧ」の文字列となり、これに対して動画ファイルの場合「ＭＯＶ」の文字列となる。
【０１１５】
また拡張子ＫＣは、ファイルの種類（すなわち、静止画ファイル及び動画ファイル）を識別するためのものであり、例えば、静止画ファイルの場合「ＪＰＧ」の文字列となり、これに対して動画ファイルの場合「ＭＰＧ」の文字列となる。
【０１１６】
よってファイル名ＦＮＡは、拡張子ＫＣや、ファイル名本体ＦＨ内のファイル判別情報ＦＨ１により、当該ファイル名ＦＮＡが付されたファイルが静止画ファイルと動画ファイルとの何れであるのかを検出させ得るようになされている。
【０１１７】
ところで中央処理ユニット１０は、被写体を単独で静止画撮像して静止画ファイルを生成したとき（すなわち、静止画撮像モードで静止画ファイルを生成したとき、）、当該静止画ファイルのファイル名ＦＮＡに、他の静止画ファイル及び動画ファイルの通し番号ＦＨ２とは重複しないようにナンバリングした固有の通し番号ＦＨ２を格納する。
【０１１８】
また中央処理ユニット１０は、被写体を単独で動画撮像して動画ファイルを生成したとき（すなわち、動画撮像モードで動画ファイルを生成したとき）、当該動画ファイルのファイル名ＦＮＡに、他の静止画ファイル及び動画ファイルの通し番号ＦＨ２とは重複しないようにナンバリングした固有の通し番号ＦＨ２を格納する。
【０１１９】
これに対して中央処理ユニット１０は、被写体を時分割で静止画撮像及び動画撮像して静止画ファイル及び動画ファイルを生成したとき（すなわち、時分割撮像モードで静止画ファイル及び動画ファイルを生成したとき）、当該静止画ファイルのファイル名ＦＮＪと動画ファイルのファイル名ＦＮＭとに、他の静止画ファイル及び動画ファイルの通し番号ＦＨ２とは重複しないようにナンバリングした固有の１つの通し番号ＦＨ２を格納する。
【０１２０】
すなわち、中央処理ユニット１０は、被写体を時分割で静止画撮像及び動画撮像して静止画ファイル及び動画ファイルを生成したとき、これら静止画ファイル及び動画ファイルのファイル名ＦＮＪ及びＦＮＭに同一の通し番号ＦＨ２を格納する。
【０１２１】
これにより中央処理ユニット１０は、被写体を時分割で静止画撮像及び動画撮像して生成した静止画ファイル及び動画ファイル（すなわち、本静止画像データ及び本動画像データ）を、ファイル名ＦＮＪ及びＦＮＭ内の同一な通し番号ＦＨ２により、１つの被写体を時分割で静止画撮像及び動画撮像して生成したものとして関連付ける。
【０１２２】
また画像加工部２２は、被写体の静止画撮像に応じて本静止画像データを生成したとき、当該本静止画像データに対し、静止画アスペクト比は変えずに画素を間引く（すなわち、静止画像サイズを小さくする）ように画像縮小処理を施す。
【０１２３】
これにより画像加工部２２は、本静止画像データに基づく本静止画像を縮小した静止画像（以下、これを静止画サムネイルとも呼ぶ）の静止画像データ（以下、これを静止画サムネイルデータとも呼ぶ）を生成する。
【０１２４】
静止画サムネイルは、縮小前の本静止画像と画像サイズが異なるだけで、その本静止画像と実質的には同一のものであり、当該本静止画像の内容を示している。
【０１２５】
そして静止画サムネイルは、縮小前の本静止画像に比して、表示画面５Ａへの表示に使用される表示領域が小さくてすみ、他の静止画サムネイル等と共に表示画面５Ａに一覧表示し得るようになされている。
【０１２６】
このため、静止画サムネイルは、本静止画像データを検索する際のインデックスとして利用し得るようになされている。
【０１２７】
このようにして画像加工部２２は、静止画サムネイルの静止画サムネイルデータを生成すると、当該生成した静止画サムネイルデータをバッファメモリ２１に送出して一時記録する。
【０１２８】
よって中央処理ユニット１０は、圧縮静止画像データを静止画ファイルとして記録メディア２７に記録するとき、バッファメモリ２１から、対応する静止画サムネイルデータを読み出す。
【０１２９】
そして中央処理ユニット１０は、その圧縮静止画像データを、対応する静止画サムネイルデータと共にメディアインタフェース２６を介して記録メディア２７に送出する。
【０１３０】
これにより中央処理ユニット１０は、記録メディア２７に対し、静止画サムネイルデータを静止画ファイルに対応付けて記録している。
【０１３１】
また画像加工部２２は、被写体の動画撮像に応じて本動画像データを生成したとき、当該本動画像データから、本動画像の内容を示す１つの本単位画像の本単位画像データとして、時間的に先頭の本単位画像の本単位画像データを取り出す。
【０１３２】
因みに、以下の説明では、本動画像を形成する時間的に連続な複数の本単位画像のうち、時間的に先頭の本単位画像を、特に先頭単位画像とも呼び、当該先頭単位画像の本単位画像データを、特に先頭単位画像データとも呼ぶ。
【０１３３】
さらに画像加工部２２は、先頭単位画像データに対し、動画アスペクト比は変えずに画素を間引く（すなわち、動画像サイズを小さくする）ように画像縮小処理を施す。
【０１３４】
これにより画像加工部２２は、先頭単位画像データに基づく先頭単位画像を縮小した先頭単位画像（以下、これを単位画サムネイルとも呼ぶ）の先頭単位画像データ（以下、これを単位画サムネイルデータとも呼ぶ）を生成する。
【０１３５】
単位画サムネイルは、その画像縦方向の長さが、静止画サムネイルの画像縦方向の長さと等しく選定されている。また単位画サムネイルは、縮小前の先頭単位画像と画像サイズが異なるだけで、その先頭単位画像と実質的には同一のものである。
【０１３６】
そして単位画サムネイルは、縮小前の先頭単位画像に比して、表示画面５Ａへの表示に使用される表示領域が小さくてすみ、他の単位画サムネイルや静止画サムネイルと共に表示画面５Ａに一覧表示し得るようになされている。
【０１３７】
このため、単位画サムネイルは、本動画像データを検索する際のインデックスとして利用し得るようになされている。
【０１３８】
このようにして画像加工部２２は、単位画サムネイルの単位画サムネイルデータを生成すると、当該生成した単位画サムネイルデータをバッファメモリ２１に送出して一時記録する。
【０１３９】
よって中央処理ユニット１０は、動画像ストリームを動画ファイルとして記録メディア２７に記録するとき、バッファメモリ２１から、対応する単位画サムネイルデータを読み出す。
【０１４０】
そして中央処理ユニット１０は、その動画像ストリームを、対応する単位画サムネイルデータと共にメディアインタフェース２６を介して記録メディア２７に送出する。
【０１４１】
これにより中央処理ユニット１０は、記録メディア２７に対し、単位画サムネイルデータを動画ファイルに対応付けて記録する。
【０１４２】
このようにして中央処理ユニット１０は、被写体を静止画撮像や動画撮像したときには、本静止画像データや本動画像データと共に、これらの検索に利用可能な静止画サムネイルデータや単位画サムネイルデータも生成して記録する。
【０１４３】
ただし中央処理ユニット１０は、静止画サムネイルデータに対しては、データの種類（すなわち、静止画サムネイルデータ及び単位画サムネイルデータの何れであるのか）を判別可能な判別情報と、対応する静止画ファイルのファイル名ＦＮＡ（又はＦＮＪ）内の通し番号ＦＮ２と同一の通し番号とを格納した対応付け情報を付加する。
【０１４４】
また中央処理ユニット１０は、単位画サムネイルデータに対しても、データの種類（すなわち、静止画サムネイルデータ及び単位画サムネイルデータの何れであるのか）を判別可能な判別情報と、対応する動画ファイルのファイル名ＦＮＡ（又はＦＮＭ）内の通し番号ＦＮ２と同一の通し番号とを格納した対応付け情報を付加する。
【０１４５】
因みに、静止画サムネイルデータや単位画サムネイルデータを判別可能な判別情報は、例えば、静止画サムネイルデータを示す「０」の値のフラグや、単位画サムネイルデータを示す「１」の値のフラグである。
【０１４６】
このようにして中央処理ユニット１０は、静止画サムネイルデータ及び単位画サムネイルデータを、対応付け情報により静止画ファイル及び動画ファイルに対応付けている。
【０１４７】
また中央処理ユニット１０は、静止画サムネイルデータ及び単位画サムネイルデータの中で、被写体を時分割で静止画撮像及び動画撮像して生成したものについては、対応付け情報により（すなわち、対応付け情報に格納した同一の通し番号により）関連付けている。
【０１４８】
ところで中央処理ユニット１０は、再生モード時、デジタルスチルカメラ１に対し外部端子８を介して外部装置が接続されてはいないと、当該デジタルスチルカメラ１に設けられた表示部５を利用して本静止画像や本動画像を表示する。
【０１４９】
これに対して中央処理ユニット１０は、再生モード時、デジタルスチルカメラ１に外部端子８を介して外部装置が接続されていると、その外部装置に設けられた表示部を利用して本静止画像や本動画像を表示する。
【０１５０】
よって、以下には、再生モード時にデジタルスチルカメラ１の表示部５を利用して本静止画像や本動画像を表示する場合について説明し、次いで外部装置の表示部を利用して本静止画像や本動画像を表示する場合について説明する。
【０１５１】
中央処理ユニット１０は、再生モード時、デジタルスチルカメラ１に外部装置が接続されてはいない状態でユーザにより操作部１５を介して静止画サムネイル及び単位画サムネイルを一覧表示する一覧表示命令が入力されると、メディアインタフェース２６を介して記録メディア２７から静止画サムネイルデータ及び単位画サムネイルデータを読み出す。
【０１５２】
また中央処理ユニット１０は、これら静止画サムネイルデータ及び単位画サムネイルデータに付加している対応付け情報に基づき、関連付けている静止画サムネイルデータ及び単位画サムネイルデータを検出する。
【０１５３】
そして中央処理ユニット１０は、関連付けている静止画サムネイルデータと単位画サムネイルデータとを合成することにより合成画像（以下、これを合成サムネイルとも呼ぶ）の合成画像データ（以下、これを合成サムネイルデータとも呼ぶ）を生成する。
【０１５４】
また中央処理ユニット１０は、合成サムネイルデータと共に、他の関連付けてはいない静止画サムネイルデータや単位画サムネイルデータを用いて一覧表示データを生成する。
【０１５５】
そして中央処理ユニット１０は、一覧表示データをデジタルアナログ変換器２３によりデジタルアナログ変換処理しアナログの一覧表示信号として、表示コントローラ２４を介して表示部５に送出する。
【０１５６】
これにより中央処理ユニット１０は、表示部５の表示画面５Ａに一覧表示信号に基づき、図６に示すように、合成サムネイルデータに基づく合成サムネイル４０や、他の関連付けてはいない静止画サムネイルデータに基づく静止画サムネイル４１、単位画サムネイルデータに基づく単位画サムネイル４２をマトリクス状に配置して表示する。
【０１５７】
この場合、図７に示すように、合成サムネイル４０は、関連付けられている静止画サムネイル４０Ａと単位画サムネイル４０Ｂとによって構成されている。
【０１５８】
具体的に合成サムネイル４０は、動画アスペクト比を有する単位画サムネイル４０Ｂの中央部分に、静止画アスペクト比を有する静止画サムネイル４０Ａが、互いの画像縦方向の上端及び下端を一致させた状態で重畳され、全体として動画アスペクト比を有するように形成されている。
【０１５９】
因みに、単位画サムネイル４０Ｂへの静止画サムネイル４０Ａの重畳とは、当該単位画サムネイル４０Ｂの中央部分を、静止画サムネイル４０Ａに置き換える（すなわち、単位画サムネイル４０Ｂの中央部分に静止画サムネイル４０Ａを上書きする）ように、単位画サムネイル４０Ｂと静止画サムネイル４０Ａとを合成した状態を示す。
【０１６０】
このため合成サムネイル４０は、静止画サムネイル４０Ａ全体を見せることができると共に、単位画サムネイル４０Ｂの右端部及び左端部において静止画サムネイル４０Ａが重畳されずに露出する露出部分（すなわち、単位画サムネイル４０Ｂにおいて静止画サムネイル４０Ａよりも画像横方向にはみ出す部分）も見せることができる。
【０１６１】
ここで合成サムネイル４０を構成する静止画サムネイル４０Ａは、被写体を時分割で静止画撮像及び動画撮像したときに得られた本静止画像の静止画像サイズを小さくするようにして生成されており、当該本静止画像と実質的に同じ絵柄を有している。
【０１６２】
また合成サムネイル４０を構成する単位画サムネイル４０Ｂは、被写体を時分割で静止画撮像及び動画撮像したときに得られた本動画像に含まれる先頭単位画像の動画像サイズを小さくするようにして生成されており、当該先頭単位画像と実質的に同じ絵柄を有している。
【０１６３】
そして被写体に対する時分割の静止画撮像及び動画撮像は、当該被写体を静止画撮像した後、直ちに動画撮像を開始するように、時間をわずかにずらして行われている。
【０１６４】
このため被写体に対する時分割の静止画撮像及び動画撮像では、その撮像中に被写体やデジタルスチルカメラ１が大きく動くほど、本静止画像と、本動画像に含まれる先頭単位画像との絵柄の違いが大きくなる。
【０１６５】
すなわち、静止画サムネイル４０Ａ及び単位画サムネイル４０Ｂについても、時分割で静止画撮像及び動画撮像を行うときに被写体やデジタルスチルカメラ１が大きく動くほど、互いの絵柄の違いが大きくなる。
【０１６６】
よって合成サムネイル４０は、静止画サムネイル４０Ａと単位画サムネイル４０Ｂとの絵柄の違いが大きいほど、当該静止画サムネイル４０Ａの右端部及び左端部と、単位画サムネイル４０Ｂの右端側の露出部分（以下、これを右端側露出部分とも呼ぶ）及び左端側の露出部分（以下、これを左端側露出部分とも呼ぶ）との絵柄の繋がりが失われる。
【０１６７】
その結果、合成サムネイル４０は、静止画サムネイル４０Ａの右端部及び左端部と、単位画サムネイル４０Ｂの右端側露出部分及び左端側露出部分との境界が、より明確になる。
【０１６８】
しかしながら被写体に対する時分割の静止画撮像及び動画撮像では、撮像中に被写体やデジタルスチルカメラ１がほとんど動かないと、本静止画像と、本動画像に含まれる先頭単位画像との絵柄がほとんど変わらないものとなる。
【０１６９】
すなわち、静止画サムネイル４０Ａ及び単位画サムネイル４０Ｂについても、時分割で静止画撮像及び動画撮像を行うときに被写体やデジタルスチルカメラ１がほとんど動かないと、互いにほとんど変わらない絵柄になる。
【０１７０】
そして合成サムネイル４０は、静止画サムネイル４０Ａと単位画サムネイル４０Ｂとの絵柄がほとんど変わらないと、当該静止画サムネイル４０Ａの右端部及び左端部と、単位画サムネイル４０Ｂの右端側露出部分及び左端側露出部分との境界が不明確になる。
【０１７１】
その結果、合成サムネイル４０は、静止画サムネイル４０Ａの右端部及び左端部と、単位画サムネイル４０Ｂの右端側露出部分及び左端側露出部分との絵柄が、あたかも１つの画像のように繋がり、単位画サムネイル４０Ｂのみによって構成されているように見える可能性がある。
【０１７２】
このため、中央処理ユニット１０は、合成サムネイル４０を生成する際、静止画サムネイル４０Ａの右端部及び左端部と、単位画サムネイル４０Ｂの右端側露出部分及び左端側露出部分との境界部分に、画像縦方向と並行で例えば比較的太い黒色の境界線の画像（以下、これを境界線画像とも呼ぶ）４３Ａ及び４３Ｂを重畳している。
【０１７３】
因みに、中央処理ユニット１０は、合成サムネイル４０において境界線画像４３Ａ及び４３Ｂを静止画サムネイル４０Ａの右端及び左端のみに重畳することもできるし、単位画サムネイル４０Ｂの右端側露出部分及び左端側露出部分において静止画サムネイル４０Ａとの境界部分にのみ重畳することもできる。
【０１７４】
また中央処理ユニット１０は、合成サムネイル４０において境界線画像４３Ａ及び４３Ｂを、静止画サムネイル４０Ａの右端及び左端と、単位画サムネイル４０Ｂの右端側露出部分及び左端側露出部分とに亘って重畳することもできる。
【０１７５】
よって合成サムネイル４０は、静止画サムネイル４０Ａと単位画サムネイル４０Ｂとの絵柄の違いの程度にかかわらずに、境界線画像４３Ａ及び４３Ｂにより静止画サムネイル４０Ａ及び単位画サムネイル４０Ｂの境界を明確にしている。
【０１７６】
すなわち、中央処理ユニット１０は、合成サムネイル４０として単位画サムネイル４０Ｂに、これよりも幅の狭い静止画サムネイル４０Ａが重畳されていることを、ユーザに対し容易にかつ確実に認識させ得るようになされている。
【０１７７】
これにより中央処理ユニット１０は、表示部５の表示画面５Ａにおいて、合成サムネイル４０を、他の関連付けてはいない静止画サムネイル４１や単位画サムネイル４２と容易に区別させ得るようになされている。
【０１７８】
また中央処理ユニット１０は、本静止画像を４：３の静止画アスペクト比で生成し、本動画像を形成する複数の本単位画像を、静止画アスペクト比とは異なる16：９の動画アスペクト比で生成している。
【０１７９】
さらに中央処理ユニット１０は、表示部５の表示画面５Ａに表示した合成サムネイル４０において動画アスペクト比を有する単位画サムネイル４０Ｂに、静止画アスペクト比を有する静止画サムネイル４０Ａを重畳している。
【０１８０】
よって中央処理ユニット１０は、ユーザに対し、合成サムネイル４０により、単位画サムネイル４０Ｂに対応する本動画像と、静止画サムネイル４０Ａに対応する本静止画像とが、被写体を時分割で静止画撮像及び動画撮像して生成し関連付けられていることを直感的に認識させることができる。
【０１８１】
そして中央処理ユニット１０は、表示部５の表示画面５Ａに、このような合成サムネイル４０と共に静止画サムネイル４１や単位画サムネイル４２を一覧表示すると、ユーザに対し操作部１５を介して当該合成サムネイル４０や静止画サムネイル４１、単位画サムネイル４２を任意に選択させ得るようになされている。
【０１８２】
中央処理ユニット１０は、ユーザにより操作部１５を介して表示部５の表示画面５Ａ上で合成サムネイル４０や静止画サムネイル４１、単位画サムネイル４２の中から任意に１つの静止画サムネイル４１が選択されると、当該選択された静止画サムネイル４１に対応する本静止画像データの再生処理を実行する。
【０１８３】
この場合、中央処理ユニット１０は、メディアインタフェース２６を介して記録メディア２７から、ユーザにより選択された静止画サムネイル４１に対応する圧縮静止画像データを読み出してバッファメモリ２１に送出し一時記録する。
【０１８４】
このとき静止画像処理部２５は、バッファメモリ２１から圧縮静止画像データを読み出して、当該読み出した圧縮静止画像データを復号することにより元の本静止画像データを生成し、当該生成した本静止画像データを画像加工部２２に送出する。
【０１８５】
画像加工部２２は、静止画像処理部２５から与えられた本静止画像データに対し、例えば、本静止画像から静止画アスペクト比は変えずに画素を間引く画像縮小処理を施す。
【０１８６】
これにより画像加工部２２は、本静止画像を表示部５の表示画面５Ａに表示可能な静止画縦長さ及び静止画横長さに縮小した本静止画像データを生成し、当該生成した本静止画像データを中央処理ユニット１０に送出する。
【０１８７】
この際、中央処理ユニット１０は、画像加工部２２から与えられた本静止画像データをデジタルアナログ変換器２３によりデジタルアナログ変換処理してアナログの本静止画像信号として表示コントローラ２４に送出する。
【０１８８】
表示コントローラ２４は、中央処理ユニット１０から与えられた本静止画像信号を表示部５に送出することにより、当該表示部５の表示画面５Ａに本静止画像信号に基づく本静止画像を表示する。
【０１８９】
このようにして中央処理ユニット１０は、被写体を単独で静止画撮像して生成していた本静止画像データを再生して本静止画像をユーザに見せることができる。
【０１９０】
因みに、中央処理ユニット１０は、本静止画像データを予め選定された一定時間再生すると、当該本静止画像データの再生処理を終了する。
【０１９１】
また中央処理ユニット１０は、本静止画像データを一定時間再生する前に再生停止命令が入力されたときには、その時点に本静止画像データの再生を停止させて、当該本静止画像データの再生処理を終了する。
【０１９２】
中央処理ユニット１０は、このようにして本静止画像データの再生処理を終了すると、表示部５の表示画面５Ａに、再び合成サムネイル４０や静止画サムネイル４１、単位画サムネイル４２を一覧表示する。
【０１９３】
よって中央処理ユニット１０は、表示部５の表示画面５Ａ上で、合成サムネイル４０や静止画サムネイル４１、単位画サムネイル４２によって、再生対象の本静止画像データや本動画像データを再び選択させることができる。
【０１９４】
また中央処理ユニット１０は、ユーザにより操作部１５を介して表示部５の表示画面５Ａ上で合成サムネイル４０や静止画サムネイル４１、単位画サムネイル４２の中から任意に１つの単位画サムネイル４２が選択されると、当該選択された単位画サムネイル４２に対応する本動画像データの再生処理を実行する。
【０１９５】
この場合、中央処理ユニット１０は、メディアインタフェース２６を介して記録メディア２７から、ユーザにより選択された単位画サムネイル４２に対応する動画ストリームを読み出す。
【０１９６】
そして中央処理ユニット１０は、かかる動画像ストリームを圧縮動画像データと圧縮音声データとに分離すると共に、これら圧縮動画像データ及び圧縮音声データをバッファメモリ２１に送出して一時記録する。
【０１９７】
このとき動画像処理部２８は、バッファメモリ２１から圧縮動画像データを読み出し、当該読み出した圧縮動画像データを復号することにより元の本動画像データを生成して、当該生成した本動画像データを画像加工部２２に送出する。
【０１９８】
画像加工部２２は、動画像処理部２８から与えられた本動画像データに対し、例えば、本動画像から動画アスペクト比は変えずに画素を間引く画像縮小処理を施す。
【０１９９】
これにより画像加工部２２は、本動画像を表示部５の表示画面５Ａに表示可能な動画縦長さ及び動画横長さに縮小した本動画像データを生成し、当該生成した本動画像データを中央処理ユニット１０に送出する。
【０２００】
中央処理ユニット１０は、画像加工部２２から与えられた本動画像データを（すなわち、複数の本単位画像データを順次）デジタルアナログ変換器２３によりデジタルアナログ変換処理してアナログの本動画像信号（すなわち、複数の本単位画像信号）として表示コントローラ２４に送出する。
【０２０１】
表示コントローラ２４は、中央処理ユニット１０から与えられた本動画像信号を（すなわち、複数の本単位画像信号を順次）表示部５に送出することにより、当該表示部５の表示画面５Ａに本動画像信号に基づく本動画像を（すなわち、時間的に連続な複数の本単位画像信号に基づく本単位画像を順次切り換えて）表示する。
【０２０２】
またこのとき音声処理部３１は、バッファメモリ２１から圧縮音声データを読み出し、当該読み出した圧縮音声データを復号することにより元の音声データを生成する。
【０２０３】
そして音声処理部３１は、その音声データをデジタルアナログ変換器３３によりデジタルアナログ変換処理してアナログの音声信号としてスピーカ３４に送出する。
【０２０４】
これにより中央処理ユニット１０は、表示部５の表示画面５Ａに対する本動画像の表示に合わせて、スピーカ３４から音声信号に基づく音声を出力させる。
【０２０５】
このようにして中央処理ユニット１０は、被写体を単独で動画撮像して生成していた本動画像データ及び音声データを再生して本動画像及び音声を視聴させることができる。
【０２０６】
因みに、中央処理ユニット１０は、本動画像データ及び音声データを最後尾まで再生し終えると、当該本動画像データの再生処理を終了する。
【０２０７】
また中央処理ユニット１０は、本動画像データ及び音声データの再生途中にユーザにより再生停止命令が入力されたときには、その時点に本動画像データ及び音声データの再生を停止させて、当該本動画像データの再生処理を終了する。
【０２０８】
中央処理ユニット１０は、このようにして本動画像データの再生処理を終了すると、表示部５の表示画面５Ａに、再び合成サムネイル４０や静止画サムネイル４１、単位画サムネイル４２を一覧表示する。
【０２０９】
よって中央処理ユニット１０は、表示部５の表示画面５Ａ上で、合成サムネイル４０や静止画サムネイル４１、単位画サムネイル４２によって、再生対象の本静止画像データや本動画像データを再び選択させることができる。
【０２１０】
さらに中央処理ユニット１０は、ユーザにより操作部１５を介して表示部５の表示画面５Ａ上で合成サムネイル４０や静止画サムネイル４１、単位画サムネイル４２の中から任意に１つの合成サムネイル４０が選択されると、当該選択された合成サムネイル４０に対応する本静止画像データ及び本動画像データの連続再生処理を実行する。
【０２１１】
この場合、中央処理ユニット１０は、メディアインタフェース２６を介して記録メディア２７から、ユーザにより選択された合成サムネイル４０（すなわち、合成サムネイル４０を構成する静止画サムネイル４０Ａ）に対応する圧縮静止画像データを読み出してバッファメモリ２１に送出し一時記録する。
【０２１２】
また中央処理ユニット１０は、メディアインタフェース２６を介して記録メディア２７から、ユーザにより選択された合成サムネイル４０（すなわち、合成サムネイル４０を構成する単位画サムネイル４０Ｂ）に対応する動画ストリームも読み出す。
【０２１３】
さらに中央処理ユニット１０は、かかる動画像ストリームを圧縮動画像データと圧縮音声データとに分離すると共に、その圧縮動画像データもバッファメモリ２１に送出して一時記録する。
【０２１４】
すなわち、中央処理ユニット１０は、合成サムネイル４０を構成する静止画サムネイル４０Ａ及び単位画サムネイル４０Ｂをもとに、記録メディア２７から、関連付けている圧縮静止画像データ（すなわち、本静止画像データ）及び動画像ストリーム（すなわち、本動画像データ）を読み出す。
【０２１５】
このとき静止画像処理部２５は、バッファメモリ２１から圧縮静止画像データを読み出し、当該読み出した圧縮静止画像データを復号することにより元の本静止画像データを生成し、当該生成した本静止画像データを画像加工部２２に送出する。
【０２１６】
また動画像処理部２８は、バッファメモリ２１から圧縮動画像データを読み出し、当該読み出した圧縮動画像データを復号することにより、元の本動画像データに含まれる先頭単位画像の先頭単位画像データのみを生成する。そして動画像処理部２８は、その先頭単位画像データを画像加工部２２に送出する。
【０２１７】
画像加工部２２は、静止画像処理部２５から与えられた本静止画像データに対し、例えば、本静止画像から静止画アスペクト比は変えずに画素を間引く画像縮小処理を施す。
【０２１８】
これにより画像加工部２２は、本静止画像を表示部５の表示画面５Ａに表示可能な静止画縦長さ及び静止画横長さに縮小した本静止画像データを生成し、当該生成した本静止画像データを中央処理ユニット１０に送出する。
【０２１９】
また画像加工部２２は、この際、動画像処理部２８から与えられた先頭単位画像データに対し、例えば、先頭単位画像から動画アスペクト比は変えずに画素を間引く画像縮小処理を施す。
【０２２０】
これにより画像加工部２２は、先頭単位画像を表示部５の表示画面５Ａに表示可能な動画縦長さ及び動画横長さに縮小した先頭単位画像データを生成する。
【０２２１】
ところで画像加工部２２は、この際、本静止画像データ及び先頭単位画像データそれぞれに対し画像縮小処理を施すことで、静止画縦長さと動画縦長さとが等しい本静止画像及び先頭単位画像の本静止画像データ及び先頭単位画像データを生成する。
【０２２２】
そして画像加工部２２は、このように画像縮小処理を施した先頭単位画像データも中央処理ユニット１０に送出する。
【０２２３】
この際、中央処理ユニット１０は、画像加工部２２から与えられた本静止画像データと先頭単位画像データとを合成して合成画像（以下、これを本合成画像とも呼ぶ）の合成画像データ（以下、これを本合成画像データとも呼ぶ）を生成する。
【０２２４】
そして中央処理ユニット１０は、本合成画像データをデジタルアナログ変換器２３によりデジタルアナログ変換処理してアナログの本合成画像信号として、表示コントローラ２４に送出する。
【０２２５】
表示コントローラ２４は、中央処理ユニット１０から与えられた本合成画像信号を表示部５に送出することにより、当該表示部５の表示画面５Ａ全体に亘り本合成画像信号に基づく図８に示すような本合成画像４５を表示する。
【０２２６】
この場合、本合成画像４５は、関連付けられている本静止画像４５Ａと先頭単位画像４５Ｂ（すなわち、本静止画像４５Ａに関連付けられている本動画像としての先頭単位画像４５Ｂ）とによって構成されている。
【０２２７】
具体的に本合成画像４５は、動画アスペクト比を有する先頭単位画像４５Ｂの中央部分に、静止画アスペクト比を有する本静止画像４５Ａが、互いの画像縦方向の上端及び下端を一致させた状態で重畳され、全体として動画アスペクト比を有するように形成されている。
【０２２８】
因みに、先頭単位画像４５Ｂへの本静止画像４５Ａの重畳とは、当該先頭単位画像４５Ｂの中央部分を本静止画像４５Ａに置き換える（すなわち、先頭単位画像４５Ｂの中央部分に本静止画像４５Ａを上書きする）ように、先頭単位画像４５Ｂと本静止画像４５Ａとを合成した状態を示す。
【０２２９】
このため本合成画像４５では、本静止画像４５Ａ全体を見せることができると共に、先頭単位画像４５Ｂの右端部及び左端部において本静止画像４５Ａが重畳されずに露出する右端側露出部分及び左端側露出部分（すなわち、先頭単位画像４５Ｂにおいて本静止画像４５Ａよりも画像横方向にはみ出す部分）も見せることができる。
【０２３０】
よって中央処理ユニット１０は、関連付けている本静止画像データ及び本動画像データの連続再生処理を実行する場合、まずは本静止画像データを本動画像データの先頭単位画像データと共に本合成画像データとして再生して本合成画像４５を表示し、その本合成画像４５により本静止画像４５Ａをユーザに見せることができる。
【０２３１】
そして、図９に示すように、中央処理ユニット１０は、表示部５の表示画面５Ａに本合成画像４５を、予め選定された一定時間だけ表示すると、本合成画像データに換えて、先頭単位画像４５Ｂの先頭単位画像データのみをデジタルアナログ変換器２３によりデジタルアナログ変換処理しアナログの先頭単位画像信号として、表示コントローラ２４に送出する。
【０２３２】
よって表示コントローラ２４は、中央処理ユニット１０から与えられた先頭単位画像信号を表示部５に送出して、当該表示部５の表示画面５Ａ全体に亘り先頭単位画像信号に基づく先頭単位画像４５Ｂのみを表示する。
【０２３３】
これにより中央処理ユニット１０は、表示部５の表示画面５Ａにおいて、本合成画像４５の表示から、当該本合成画像４５を構成する本静止画像４５Ａ及び先頭単位画像４５Ｂのうち、その先頭単位画像４５Ｂのみの表示に切り換える。
【０２３４】
そして中央処理ユニット１０は、このように表示部５の表示画面５Ａにおいて本合成画像４５から先頭単位画像４５Ｂへと表示を切り換えると、上述と同様に動画像ストリームの再生処理を開始する。
【０２３５】
これにより中央処理ユニット１０は、動画像処理部２８及び画像加工部２２を制御して本動画像データを生成すると共に、音声処理部３１を制御して音声データを生成する。
【０２３６】
その結果、中央処理ユニット１０は、画像加工部２２から本動画像データが与えられると、当該本動画像データをデジタルアナログ変換器２３によりデジタルアナログ変換処理してアナログの本動画像信号として表示コントローラ２４に送出する。
【０２３７】
よって表示コントローラ２４は、中央処理ユニット１０から与えられた本動画像信号を表示部５に送出することにより、当該表示部５の表示画面５Ａに対し、先頭単位画像４５Ｂに換えて本動画像信号に基づく本動画像を表示する。
【０２３８】
また中央処理ユニット１０は、このとき音声処理部３１により生成された音声データをデジタルアナログ変換器３３によりデジタルアナログ変換処理してアナログの音声信号としてスピーカ３４に送出する。
【０２３９】
これにより中央処理ユニット１０は、表示部５の表示画面５Ａに対する本動画像の表示に合わせて、スピーカ３４から音声信号に基づく音声を出力する。
【０２４０】
このようにして中央処理ユニット１０は、被写体を時分割で静止画撮像及び動画再生して生成していた本静止画像データ及び本動画像データのうち、本静止画像データを再生して本静止画像を見せた後、自動的に本動画像データも再生して本動画像を見せることができる。
【０２４１】
因みに、中央処理ユニット１０は、関連付けている本静止画像データと本動画像データとを自動的に連続で再生する場合、その本動画像データを最後尾まで再生し終えると、連続再生処理を終了する。
【０２４２】
また中央処理ユニット１０は、本動画像データの再生途中にユーザにより再生停止命令が入力されたときには、その時点に本動画像データの再生を停止させて連続再生処理を終了する。
【０２４３】
中央処理ユニット１０は、このようにして連続再生処理が終了すると、表示部５の表示画面５Ａに、再び合成サムネイル４０や静止画サムネイル４１、単位画サムネイル４２を一覧表示する。
【０２４４】
よって中央処理ユニット１０は、表示部５の表示画面５Ａ上で、合成サムネイル４０や静止画サムネイル４１、単位画サムネイル４２によって、再生対象の本静止画像データや本動画像データを再び選択させることができる。
【０２４５】
ところで、中央処理ユニット１０は、表示部５の表示画面５Ａに本合成画像４５を表示した場合、当該本合成画像４５において動画アスペクト比を有する先頭単位画像４５Ｂに静止画アスペクト比を有する本静止画像４５Ａを重畳している。
【０２４６】
このため中央処理ユニット１０は、ユーザに対し、本合成画像４５により、先頭単位画像４５Ｂに対応する本動画像と、本静止画像４５Ａとが、被写体を時分割で静止画撮像及び動画撮像して生成し関連付けられていることを直感的に認識させることができる。
【０２４７】
すなわち、中央処理ユニット１０は、先に表示部５の表示画面５Ａに表示した合成サムネイル４０によっても、本静止画像４５Ａと本動画像とが関連付けられていることを認識させることができるものの、本合成画像４５によっても、当該本静止画像４５Ａと本動画像とが関連付けられていることを認識させることができる。
【０２４８】
ただし本合成画像４５については、本静止画像４５Ａと先頭単位画像４５Ｂとの絵柄がほとんど変わらないと、上述した合成サムネイル４０の場合と同様に、当該本静止画像４５Ａの右端部及び左端部と、先頭単位画像４５Ｂの右端側露出部分及び左端側露出部分との絵柄が、あたかも１つの画像のように繋がり、先頭単位画像４５Ｂのみによって構成されているように見える可能性がある。
【０２４９】
このため中央処理ユニット１０は、先頭単位画像４５Ｂに本静止画像４５Ａを単に重畳するように本合成画像４５（図８）を生成することもできるが、本静止画像４５Ａ及び先頭単位画像４５Ｂの少なくとも一方に、当該先頭単位画像４５Ｂへの本静止画像４５Ａの重畳を強調する重畳強調処理を施すようにして本合成画像４５を生成することもできる。
【０２５０】
そして中央処理ユニット１０は、本合成画像４５を生成する際に重畳強調処理を実行するか否かを、予めユーザに任意に選択させて設定することもできるし、当該重畳強調処理の実行の有無を自動で判断するか否かを選択させて設定することもできる。
【０２５１】
また本静止画像４５Ａ及び先頭単位画像４５Ｂの少なくとも一方に施す重畳強調処理については、複数種類のものがある。
【０２５２】
よって中央処理ユニット１０は、重畳強調処理を実行するように予め設定している場合や、重畳強調処理の実行の有無を自動で判断するように設定している場合、これに合わせて複数種類の重畳強調処理のうち、本静止画像４５Ａ及び先頭単位画像４５Ｂの少なくとも一方に施す１つの重畳強調処理をユーザに任意に選択させて設定している。
【０２５３】
ここで、重畳強調処理としては、上述した合成サムネイル４０の場合と同様に、先頭単位画像４５Ｂ及び本静止画像４５Ａの少なくとも一方に境界線画像を重畳するものがある。
【０２５４】
また重畳強調処理としては、図１０に示すように、先頭単位画像４６Ａの少なくとも右端側露出部分及び左端側露出部分を、本来の明度とは異なる明度に変更する（すなわち、明度を本来よりも低下させる）ものもある。
【０２５５】
かかる重畳強調処理では、本合成画像４６において本静止画像４５Ａよりも先頭単位画像４６Ａの明度が低い（すなわち、暗い）ため、中央部分としての本静止画像４５Ａと、背景としての先頭単位画像４６Ａ（すなわち、先頭単位画像４６Ａの右端側露出部分及び左端側露出部分）とを明確に区別させて、互いの境界を明確に判別させることができる。
【０２５６】
さらに重畳強調処理としては、図１１に示すように、先頭単位画像４７Ａの少なくとも右端側露出部分及び左端側露出部分を、本来の彩度とは異なる彩度に変更する（すなわち、彩度を本来よりも低下させる）ものもある。
【０２５７】
かかる重畳強調処理によっても、本合成画像４７において本静止画像４５Ａよりも先頭単位画像４７Ａの彩度が低い（すなわち、白黒やセピア色な）ため、中央部分としての本静止画像４５Ａと、背景としての先頭単位画像４７Ａ（すなわち、先頭単位画像４７Ａの右端側露出部分及び左端側露出部分）とを明確に区別させて、互いの境界を明確に判別させることができる。
【０２５８】
さらに重畳強調処理としては、先頭単位画像４７Ａの少なくとも右端側露出部分及び左端側露出部分を、本来の色相とは異なる色相に変更するものもある。
【０２５９】
かかる重畳強調処理によっても、本合成画像４７において本静止画像４５Ａと先頭単位画像４７Ａとの色相が異なるため、中央部分としての本静止画像４５Ａと、背景としての先頭単位画像４７Ａ（すなわち、先頭単位画像４７Ａの右端側露出部分及び左端側露出部分）とを明確に区別させて、互いの境界を明確に判別させることができる。
【０２６０】
さらに重畳強調処理としては、図１２に示すように、先頭単位画像４５Ｂの右端側露出部分及び左端側露出部分の一部に、映画フイルムを想起させるような装飾画像４９Ａ及び４９Ｂを重畳させるようなものもある。
【０２６１】
かかる重畳強調処理によっても、本合成画像４８を装飾画像４９Ａ及び４９Ｂによって、他の本静止画像のみや本動画像のみの表示とは容易に区別させることができる。
【０２６２】
そして中央処理ユニット１０は、重畳強調処理を実行するように予め設定している場合、ユーザ設定に応じて、本静止画像４５Ａ及び先頭単位画像４７Ａの少なくとも一方に、上述した何れか１つの重畳強調処理を施して本合成画像４６乃至４８を生成する。
【０２６３】
また中央処理ユニット１０は、重畳強調処理の実行の有無を自動で判断するように設定している場合、本静止画像４５Ａの右端部及び左端部と、先頭単位画像４５Ｂの右端側露出部分及び左端側露出部分との境界部分において互いに隣接する当該本静止画像４５Ａの画素及び先頭単位画像４５Ｂの画素を比較する。
【０２６４】
そして中央処理ユニット１０は、本静止画像４５Ａと先頭単位画像４５Ｂとの境界部分において、それぞれ比較した画素のうち、互いの画素値（例えば、輝度や色）の差が予め選定された差以上に異なる画素の割合を検出する。
【０２６５】
その結果、中央処理ユニット１０は、本静止画像４５Ａと先頭単位画像４５Ｂとの境界部分において、互いの画素値が、予め選定された差以上に異なる画素の割合が閾値以上であると、当該本静止画像４５Ａと先頭単位画像４５Ｂとの絵柄の違いが比較的大きいと判断する。
【０２６６】
この際、中央処理ユニット１０は、先頭単位画像４５Ｂに本静止画像４５Ａを単に重畳しても、これらの境界を明確に判別し得るものとして、本静止画像４５Ａ及び先頭単位画像４５Ｂに重畳強調処理を施さないようにする。
【０２６７】
これに対して中央処理ユニット１０は、本静止画像４５Ａと先頭単位画像４５Ｂとの境界部分において、互いの画素値が、予め選定された差以上に異なる画素の割合が閾値よりも小さいと、本静止画像４５Ａと先頭単位画像４５Ｂとの絵柄の違いが比較的小さいと判断する。
【０２６８】
この際、中央処理ユニット１０は、先頭単位画像４５Ｂに本静止画像４５Ａを単に重畳すると、これらの境界を明確には判別し難い可能性があるものとし、ユーザ設定に応じて、本静止画像４５Ａ及び先頭単位画像４５Ｂの少なくとも一方に、上述した何れか１つの重畳強調処理を施して本合成画像４６乃至４８を生成する。
【０２６９】
そして図１３乃至図１５に示すように、中央処理ユニット１０は、表示部５の表示画面５Ａに、重畳強調処理を施した（すなわち、明度、彩度又は色相を変更し、又は装飾画像４９Ａ及び４９Ｂを重畳した）本合成画像４６乃至４８を表示した状態で、連続再生処理を実行すると、ユーザ設定に応じて、本合成画像４６乃至４８の表示から先頭単位画像４５Ｂのみの表示への切り換え（すなわち、本静止画像４５Ａの消去）と、先頭単位画像４５Ｂ、４６Ａ及び４７Ａに対する重畳強調処理の効果の解除（すなわち、重畳強調処理を施す前の元の先頭単位画像４５Ｂに戻す）とを順不同で実行する。
【０２７０】
そして中央処理ユニット１０は、このように表示部５の表示画面５Ａにおいて本合成画像４６乃至４８から当該本合成画像４６乃至４８を構成する先頭単位画像４５Ｂのみへと表示を切り換えると、当該先頭単位画像４５Ｂのみを表示した後に、上述と同様に動画像ストリームの再生処理を自動的に開始する。
【０２７１】
ただし図１６に示すように、中央処理ユニット１０は、表示部５の表示画面５Ａに、先頭単位画像４５Ｂに装飾画像４９Ａ及び４９Ｂを重畳するような重畳強調処理を施した本合成画像４８を表示した状態で、連続再生処理を実行すると、ユーザ設定に応じて、本合成画像４８の表示から当該本合成画像４８を構成する先頭単位画像４５Ｂの表示へと切り換える（すなわち、本静止画像４５Ａを消去する）。
【０２７２】
そして中央処理ユニット１０は、表示部５の表示画面５Ａに単独で表示した先頭単位画像４５Ｂにおいて重畳強調処理の効果を解除しないよう（すなわち、先頭単位画像４５Ｂに装飾画像４９Ａ及び４９Ｂを重畳したまま）にすることもできる。
【０２７３】
また中央処理ユニット１０は、表示部５の表示画面５Ａにおいて本合成画像４８の表示から、装飾画像４９Ａ及び４９Ｂを重畳したままの先頭単位画像４５Ｂの表示へと切り換えた後に動画像ストリームの再生処理を開始した場合、ユーザ設定に応じて、本動画像を、装飾画像４９Ａ及び４９Ｂを重畳したまま表示することもできる。
【０２７４】
さらに中央処理ユニット１０は、このとき表示部５の表示画面５Ａに、装飾画像４９Ａ及び４９Ｂを重畳せずに本動画像を表示することもできる。
【０２７５】
因みに、中央処理ユニット１０は、表示部５の表示画面５Ａに本合成画像４５乃至４８を表示する際、例えばバッファメモリ２１上で本合成画像データを生成している。
【０２７６】
中央処理ユニット１０は、具体的にはバッファメモリ２１に先頭単位画像データを一時記録するようにして、当該バッファメモリ２１上で先頭単位画像データを展開して先頭単位画像４５Ｂ、４６Ａ及び４７Ａを形成する。
【０２７７】
そして中央処理ユニット１０は、このときバッファメモリ２１に先頭単位画像データを一時記録しながら、当該バッファメモリ２１から、その先頭単位画像データを本合成画像データとして読み出し始める。
【０２７８】
また中央処理ユニット１０は、バッファメモリ２１に先頭単位画像データを一時記録し終えると、当該バッファメモリ２１に本静止画像データを一時記録しながら、当該バッファメモリ２１上で本静止画像データを展開して先頭単位画像４５Ｂ、４６Ａ及び４７Ａの中央部分に本静止画像４５Ａを上書きする（すなわち、重畳する）ように形成する。
【０２７９】
さらに中央処理ユニット１０は、バッファメモリ２１に本静止画像データを一時記録しながら、当該バッファメモリ２１から先頭単位画像データと共に、当該本静止画像データのすでに一時記録している分を本合成画像データとして読み出す。
【０２８０】
これにより中央処理ユニット１０は、ユーザにより操作部１５を介して表示部５の表示画面５Ａ上で任意に１つの合成サムネイル４０が選択されてから、表示部５の表示画面５Ａに本合成画像４５乃至４８を表示するまでの時間を極力短くしている。
【０２８１】
ただし、中央処理ユニット１０は、このようにバッファメモリ２１から先頭単位画像データや本静止画像データを本合成画像データとして読み出すと、表示部５の表示画面５Ａに表示した本合成画像４５乃至４８の内容を先頭単位画像４５Ｂ、４６Ａ及び４７Ａのみから本静止画像４５Ａを徐々に重畳するように変化させることになる。
【０２８２】
そして中央処理ユニット１０は、その処理能力に応じて、表示部５の表示画面５Ａへの本合成画像４５乃至４８の表示を比較的高速に実行すると、当該本合成画像４５乃至４８の内容の変化がちらつきとなって見え、視認性が低下する可能性がある。
【０２８３】
このため中央処理ユニット１０は、例えば、ユーザにより操作部１５を介して表示部５の表示画面５Ａ上で任意に１つの合成サムネイル４０が選択された時点から、バッファメモリ２１に先頭単位画像データ及び本静止画像データを順次一時記録して本合成画像データの生成が完了するまでの間、本合成画像データの生成と表示コントローラ２４への送出とを実行するものの、表示部５の表示画面５Ａをオフ状態（すなわち、表示画面５Ａを消灯させた状態）にする。
【０２８４】
そして中央処理ユニット１０は、本合成画像データの生成が完了した時点に、表示部５の表示画面５Ａをオン状態（すなわち、表示画面５Ａを点灯させた状態）にして本合成画像４５乃至４８を見せる。
【０２８５】
これにより中央処理ユニット１０は、表示部５の表示画面５Ａに本合成画像４５乃至４８を表示する際、当該本合成画像４５乃至４８の内容の変化がちらつきとなって見え、視認性が低下することを回避している。
【０２８６】
また中央処理ユニット１０は、このような表示部５の表示画面５Ａに対する表示の制御は、上述した合成サムネイル４０や静止画サムネイル４１、単位画サムネイル４２の一覧表示の際にも同様に実行している。
【０２８７】
一方、中央処理ユニット１０は、再生モード時、デジタルスチルカメラ１に外部装置が接続されている状態でユーザにより操作部１５を介して一覧表示命令が入力されると、メディアインタフェース２６を介して記録メディア２７から静止画サムネイルデータ及び単位画サムネイルデータを読み出す。
【０２８８】
そして中央処理ユニット１０は、上述と同様に一覧表示データを生成し、当該生成した一覧表示データを外部インタフェース３５及び外部端子８を順次介して外部装置に出力する。
【０２８９】
これにより中央処理ユニット１０は、外部装置に設けられた表示部の表示画面に、図６について上述した場合と同様に、一覧表示信号に基づき合成サムネイル４０や静止画サムネイル４１、単位画サムネイル４２をマトリクス状に配置して表示する。
【０２９０】
この状態で中央処理ユニット１０は、ユーザにより操作部１５を介して、外部装置の表示部の表示画面上で合成サムネイル４０や静止画サムネイル４１、単位画サムネイル４２の中から任意に１つの静止画サムネイル４１が選択されると、当該選択された静止画サムネイル４１に対応する本静止画像データの再生処理を実行する。
【０２９１】
この際、中央処理ユニット１０は、上述と同様に静止画像処理部２５及び画像加工部２２を制御して本静止画像データを生成する。
【０２９２】
その結果、中央処理ユニット１０は、画像加工部２２から本静止画像データが与えられると、当該本静止画像データを外部インタフェース３５及び外部端子８を順次介して外部装置に出力する。
【０２９３】
これにより中央処理ユニット１０は、外部装置の表示部の表示画面に本静止画像データに基づく本静止画像を表示させてユーザに見せることができる。
【０２９４】
また中央処理ユニット１０は、ユーザにより操作部１５を介して、外部装置の表示部の表示画面上で合成サムネイル４０や静止画サムネイル４１、単位画サムネイル４２の中から任意に１つの単位画サムネイル４２が選択されると、当該選択された単位画サムネイル４２に対応する本動画像データの再生処理を実行する。
【０２９５】
この際、中央処理ユニット１０は、上述と同様に動画像処理部２８及び画像加工部２２を制御して本動画像データを生成すると共に、音声処理部３１を制御して音声データを生成する。
【０２９６】
その結果、中央処理ユニット１０は、画像加工部２２から本動画像データが与えられると、当該本動画像データを外部インタフェース３５及び外部端子８を順次介して外部装置に出力する。
【０２９７】
また中央処理ユニット１０は、このとき音声処理部３１から音声データを取り込み、当該音声データも外部インタフェース３５及び外部端子８を順次介して外部装置に出力する。
【０２９８】
これにより中央処理ユニット１０は、外部装置の表示部の表示画面に本動画像データに基づく本動画像を表示させると共に、当該本動画像の表示に合わせて外部装置のスピーカから音声データに基づく音声を出力させてユーザに視聴させることができる。
【０２９９】
さらに中央処理ユニット１０は、ユーザにより操作部１５を介して、外部装置の表示部の表示画面上で合成サムネイル４０や静止画サムネイル４１、単位画サムネイル４２の中から任意に１つの合成サムネイル４０が選択されると、当該選択された合成サムネイル４０に対応する本静止画像データ及び本動画像データの連続再生処理を実行する。
【０３００】
この際、中央処理ユニット１０は、上述と同様に、静止画像処理部２５、動画像処理部２８及び画像加工部２２を制御して先頭単位画像データ及び本静止画像データを生成する。
【０３０１】
その結果、中央処理ユニット１０は、画像加工部２２から、これら先頭単位画像データ及び本静止画像データが与えられると、当該先頭単位画像データと本静止画像データとを合成して本合成画像データを生成する。
【０３０２】
そして中央処理ユニット１０は、本合成画像データを外部インタフェース３５及び外部端子８を順次介して外部装置に出力することにより、当該外部装置の表示部の表示画面に本合成画像データに基づき本合成画像４５乃至４８を表示する。
【０３０３】
このようにして中央処理ユニット１０は、関連付けている本静止画像データと、本動画像データの先頭単位画像データとを再生して外部装置で本合成画像４５乃至４８を表示し、その本合成画像４５乃至４８として本静止画像４５Ａをユーザに見せることができる。
【０３０４】
そして中央処理ユニット１０は、外部装置で本合成画像４５乃至４８を予め選定された一定時間表示すると、上述と同様に外部装置において本合成画像４５乃至４８の表示を、当該本合成画像４５乃至４８を構成する本静止画像４５Ａ及び先頭単位画像４５Ｂのうち、その先頭単位画像４５Ｂのみの表示へと切り換えた後に本動画像の表示に切り換えると共に、その本動画像の表示に合わせて音声を出力させる。
【０３０５】
これにより中央処理ユニット１０は、本静止画像データの再生に引き続き、当該本静止画像データに関連付けている本動画像データも自動的に再生して本動画像をユーザに見せることができる。
【０３０６】
因みに、中央処理ユニット１０は、外部装置において本静止画像や本動画像を表示する場合も、上述と同様に本静止画像データや本動画像データの単独の再生処理や連続再生処理が終了すると、当該外部装置の表示部の表示画面に、再び合成サムネイル４０や静止画サムネイル４１、単位画サムネイル４２を一覧表示する。
【０３０７】
よって中央処理ユニット１０は、外部装置の表示部の表示画面上で、合成サムネイル４０や静止画サムネイル４１、単位画サムネイル４２によって、再生対象の本静止画像データや本動画像データを再び選択させることができる。
【０３０８】
次いで、図１７に示すフローチャートを用いて、再生モード時に合成サムネイル４０を表示する合成サムネイル表示処理手順ＲＴ１について説明する。
【０３０９】
中央処理ユニット１０は、例えば、ユーザにより操作部１５を介して一覧表示命令が入力されると、ＲＯＭ１２に予め記憶された表示制御プログラムに従って、図１７に示す合成サムネイル表示処理手順ＲＴ１を開始する。
【０３１０】
中央処理ユニット１０は、かかる合成サムネイル表示処理手順ＲＴ１を開始すると、ステップＳＰ１において記録メディア２７から複数の静止画サムネイルデータ及び複数の単位画サムネイルデータを読み出して、次のステップＳＰ２に移る。
【０３１１】
ステップＳＰ２において中央処理ユニット１０は、これら複数の静止画サムネイルデータ及び複数の単位画サムネイルデータの中で、関連付けている静止画サムネイルデータと単位画サムネイルデータとを検出して、次のステップＳＰ３に移る。
【０３１２】
ステップＳＰ３において中央処理ユニット１０は、関連付けている静止画サムネイルデータと単位画サムネイルデータとを合成して合成サムネイルデータを生成して、次のステップＳＰ４に移る。
【０３１３】
ステップＳＰ４において中央処理ユニット１０は、合成サムネイルデータを、他の静止画サムネイルデータ及び単位画サムネイルデータと共に一覧表示データとしてデジタルスチルカメラ１の表示部５（又は外部装置）に送出する。
【０３１４】
これにより中央処理ユニット１０は、表示部５の表示画面５Ａ（又は外部装置の表示部の表示画面）に一覧表示データに基づき、合成サムネイル４０として動画アスペクト比を有する単位画サムネイル４０Ｂの一部に静止画アスペクト比を有する静止画サムネイル４０Ａを重畳して表示すると共に、他の静止画サムネイル４１や単位画サムネイル４２を一覧表示して、次のステップＳＰ５に移る。
【０３１５】
そしてステップＳＰ５において中央処理ユニット１０は、合成サムネイル表示処理手順ＲＴ１を終了する。
【０３１６】
次いで、図１８に示すフローチャートを用いて、再生モード時に、関連付けている本静止画像データと本動画像データとを連続再生する連続再生処理手順ＲＴ２について説明する。
【０３１７】
中央処理ユニット１０は、表示部５の表示画面５Ａ（又は外部装置の表示部の表示画面）に合成サムネイル４０を表示している状態で、ユーザにより操作部１５を介して表示画面５Ａ（又は外部装置の表示画面）上で当該合成サムネイル４０が選択されると、ＲＯＭ１２に予め記憶された表示制御プログラムに従って、図１８に示す連続再生処理手順ＲＴ２を開始する。
【０３１８】
中央処理ユニット１０は、かかる連続再生処理手順ＲＴ２を開始すると、ステップＳＰ１１において表示部５の表示画面５Ａ（又は外部装置の表示部の表示画面）をオフ状態にして、次のステップＳＰ１２に移る。
【０３１９】
ステップＳＰ１２において中央処理ユニット１０は、記録メディア２７から、ユーザにより選択された合成サムネイル４０に対応する、関連付けている圧縮静止画像データ及び動画像ストリームのうち当該圧縮静止画像データを読み出す。
【０３２０】
そして中央処理ユニット１０は、かかる圧縮静止画像データをもとに静止画像処理部２５及び画像加工部２２により本静止画像データを生成して、次のステップＳＰ１３に移る。
【０３２１】
ステップＳＰ１３において中央処理ユニット１０は、記録メディア２７から、ユーザにより選択された合成サムネイル４０に対応する、関連付けている圧縮静止画像データ及び動画像ストリームのうち当該動画ストリームも読み出す。
【０３２２】
そして中央処理ユニット１０は、かかる動画像ストリームに含まれる圧縮動画像データをもとに動画像処理部２８及び画像加工部２２により先頭単位画像データを生成して、次のステップＳＰ１４に移る。
【０３２３】
ステップＳＰ１４において中央処理ユニット１０は、本静止画像データ及び先頭単位画像データの少なくとも一方に、重畳強調処理を施すか否かを判別する。
【０３２４】
このステップＳＰ１４において肯定結果が得られると、このことは予めユーザにより重畳強調処理を施すように選択され設定していること、又は本静止画像４５Ａと先頭単位画像４５Ｂとの境界部分の画素に基づき重畳強調処理を施すように自動で判断したことを表している。
【０３２５】
ステップＳＰ１４において中央処理ユニット１０は、かかる肯定結果を得ると、次のステップＳＰ１５に移る。
【０３２６】
ステップＳＰ１５において中央処理ユニット１０は、例えば、関連付けている本静止画像データと先頭単位画像データとのうち、当該先頭単位画像データに重畳強調処理を施して、次のステップＳＰ１６に移る。
【０３２７】
ステップＳＰ１６において中央処理ユニット１０は、関連付けている本静止画像データと先頭単位画像データとを合成して本合成画像データを生成して、次のステップＳＰ１７に移る。
【０３２８】
また上述のステップＳＰ１４において否定結果が得られると、このことは予めユーザにより重畳強調処理を施さないように選択され設定していること、又は本静止画像４５Ａと先頭単位画像４５Ｂとの境界部分の画素に基づき重畳強調処理を施さないように自動で判断したことを表している。
【０３２９】
ステップＳＰ１４において中央処理ユニット１０は、かかる否定結果を得ると、ステップＳＰ１５の処理は実行せずにステップＳＰ１６に移る。
【０３３０】
ところで中央処理ユニット１０は、ステップＳＰ１６の処理を実行して本合成画像データを生成しながら、その本合成画像データをデジタルスチルカメラ１の表示部５（又は外部装置）に送出している。
【０３３１】
そしてステップＳＰ１７において中央処理ユニット１０は、本合成画像データの生成が完了すると、表示部５の表示画面５Ａ（又は外部装置の表示部の表示画面）をオン状態にして、ステップＳＰ１８に移る。
【０３３２】
よってステップＳＰ１８において中央処理ユニット１０は、表示部５の表示画面５Ａ（又は外部装置の表示部の表示画面）に、本合成画像データに基づく本合成画像４５乃至４８として、動画アスペクト比を有する先頭単位画像４５Ｂ、４６Ａ及び４７Ａの一部に静止画アスペクト比を有する本静止画像４５Ａを重畳して表示する。
【０３３３】
これにより中央処理ユニット１０は、ユーザに対し、本合成画像４５乃至４８として、関連付けている本静止画像４５Ａと本動画像とのうち当該本静止画像４５Ａを見せて、次のステップＳＰ１９に移る。
【０３３４】
ステップＳＰ１９において中央処理ユニット１０は、本合成画像４５乃至４８の表示開始から一定時間に達することを待ち受け、当該一定時間に達すると、次のステップＳＰ２０に移る。
【０３３５】
ステップＳＰ２０において中央処理ユニット１０は、表示部５の表示画面５Ａ（又は外部装置の表示部の表示画面）において本合成画像４６乃至４８に換えて当該本合成画像４５乃至４８を構成する先頭単位画像４５Ｂのみを表示して（また、重畳強調処理の効果も解除して）、次のステップＳＰ２１に移る。
【０３３６】
ステップＳＰ２１において中央処理ユニット１０は、その時点までユーザに見せていた本静止画像４５Ａの本静止画像データと関連付けている本動画像データの再生を開始する。
【０３３７】
これにより中央処理ユニット１０は、動画像処理部２８及び画像加工部２２により圧縮動画像データをもとに、本静止画像データと関連付けている本動画像データを生成し、当該生成した本動画像データを表示部５（又は外部装置）に送出する。
【０３３８】
よって中央処理ユニット１０は、表示部５の表示画面５Ａ（又は外部装置の表示部の表示画面）に、先頭単位画像４５Ｂに換えて、その本動画像データに基づく本動画像を表示してユーザに見せる。
【０３３９】
ところで中央処理ユニット１０は、本動画像データの再生が終了し、又は再生中止の要求に応じて当該再生を中止すると、次のステップＳＰ２２に移る。
【０３４０】
これによりステップＳＰ２２において中央処理ユニット１０は、連続再生処理手順ＲＴ２を終了する。
【０３４１】
（１−３）動作及び利点
以上の構成において、デジタルスチルカメラ１の中央処理ユニット１０は、被写体を時分割で静止画撮像及び動画撮像すると、静止画アスペクト比を有する本静止画像４５Ａの本静止画像データと、当該静止画アスペクト比とは異なる動画アスペクト比を有する時間的に連続な複数の本単位画像によって形成される本動画像の本動画像データとを生成すると共に、これらを関連付ける。
【０３４２】
またデジタルスチルカメラ１の中央処理ユニット１０は、この際、関連付けた本静止画像データと本動画像データとのうち、当該本静止画像データの検索に利用するインデックスとして、静止画アスペクト比を有する静止画サムネイル４０Ａの静止画サムネイルデータを生成する。
【０３４３】
さらにデジタルスチルカメラ１の中央処理ユニット１０は、関連付けた本静止画像データと本動画像データとのうち、本動画像データの検索に利用するインデックスとして、動画アスペクト比を有する単位画サムネイル４０Ｂの単位画サムネイルデータを生成する。
【０３４４】
さらにまたデジタルスチルカメラ１の中央処理ユニット１０は、これら静止画サムネイルデータ及び単位画サムネイルデータも関連付けて、当該関連付けた静止画サムネイルデータ及び単位画サムネイルデータを、本静止画像データ及び本動画像データと共に記録する。
【０３４５】
そしてデジタルスチルカメラ１の中央処理ユニット１０は、再生モード時、関連付けている静止画サムネイルデータと単位画サムネイルデータとを合成して合成サムネイルデータを生成する。
【０３４６】
またデジタルスチルカメラ１の中央処理ユニット１０は、合成サムネイルデータを表示部５（又は外部装置）に送出することにより、当該表示部５の表示画面５Ａ（又は外部装置の表示部の表示画面）に、合成サムネイルデータに基づく合成サムネイル４０として、単位画サムネイル４０Ｂの一部に静止画サムネイル４０Ａを重畳して表示する。
【０３４７】
従ってデジタルスチルカメラ１の中央処理ユニット１０は、表示部５の表示画面５Ａ（又は外部装置の表示部の表示画面）に合成サムネイル４０として、関連付けている本静止画像及び本動画像の内容を示す静止画サムネイル４０Ａ及び単位画サムネイル４０Ｂを、他の関連付けてはいない本静止画像や本動画像の内容を示す静止画サムネイルや単位画サムネイルとは区別して表示することができる。
【０３４８】
よってデジタルスチルカメラ１の中央処理ユニット１０は、被写体を時分割で静止画撮像及び動画撮像して生成し関連付けた本静止画像及び本動画像を、被写体を単独で静止画撮像及び動画撮像して生成した他の本静止画像及び本動画像と容易に区別させることができる。
【０３４９】
以上の構成によれば、デジタルスチルカメラ１は、関連付けている本静止画像及び本動画像として、当該本静止画像に対応する静止画アスペクト比を有する静止画サムネイル４０Ａと、その本動画像に対応する動画アスペクト比を有する単位画サムネイル４０Ｂとを合成して合成サムネイル４０を生成し、表示部５の表示画面５Ａ（又は外部装置の表示部の表示画面）に、その合成サムネイル４０として、単位画サムネイル４０Ｂの一部に静止画サムネイル４０Ａを重畳して表示するようにした。
【０３５０】
これによりデジタルスチルカメラ１は、表示部５の表示画面５Ａ（又は外部装置の表示部の表示画面）に合成サムネイル４０として、関連付けている本静止画像及び本動画像に対応する静止画サムネイル４０Ａと単位画サムネイル４０Ｂとを、他の関連付けてはいない本静止画像や本動画像に対応する静止画サムネイルや単位画サムネイルとは区別して表示することができる。
【０３５１】
よってデジタルスチルカメラ１は、ユーザに対し、関連付けている本静止画像及び本動画像を容易に判別させることができる。
【０３５２】
またデジタルスチルカメラ１は、表示部５の表示画面５Ａ（又は外部装置の表示部の表示画面）上で合成サムネイル４０が選択されると、関連付けている本静止画像データ及び本動画像データとして、当該本静止画像データと、その本動画像データに含まれる先頭単位画像データとを合成して本合成画像データを生成する。
【０３５３】
そしてデジタルスチルカメラ１は、本合成画像データを表示部５の表示画面５Ａ（又は外部装置の表示部の表示画面）に送出して、当該表示部５の表示画面５Ａ（又は外部装置の表示部の表示画面）に、本合成画像データに基づく本合成画像４５として先頭単位画像４５Ｂの一部に本静止画像４５Ａを重畳して表示するようにした。
【０３５４】
従ってデジタルスチルカメラ１は、表示部５の表示画面５Ａ（又は外部装置の表示部の表示画面）に本合成画像４５を表示する場合も、その本合成画像４５として、関連付けている本静止画像及び本動画像の当該本静止画像と本動画像の先頭単位画像とを、他の関連付けてはいない本静止画像や本動画像の先頭単位画像とは区別して表示することができる。
【０３５５】
よってデジタルスチルカメラ１は、ユーザに対し、関連付けている本静止画像及び本動画像を容易に判別させることができる。
【０３５６】
さらにデジタルスチルカメラ１は、表示部５の表示画面５Ａ（又は外部装置の表示部の表示画面）に本合成画像４５として、先頭単位画像４５Ｂの画像横方向の右端部分及び左端部分を、本静止画像４５Ａの画像横方向の右端及び左端からはみ出させて表示するようにした。
【０３５７】
そしてデジタルスチルカメラ１は、表示部５の表示画面５Ａ（又は外部装置の表示部の表示画面）に本合成画像４５を表示して一定時間に達すると、その本合成画像４５に換えて当該本合成画像４５を構成する本静止画像４５Ａ及び先頭単位画像４５Ｂのうち先頭単位画像４５Ｂのみを表示し、その先頭単位画像４５Ｂのみを表示した後に本動画像データを自動的に再生することにより、当該先頭単位画像４５Ｂに換えて、その先頭単位画像を一部とする本動画像を表示するようにした。
【０３５８】
従ってデジタルスチルカメラ１は、関連付けている本静止画像と本動画像とを自動的に連続して再生して、互いにアスペクト比の異なる本静止画像４５Ａから本動画像へと表示を切り換えるとき、表示部５の表示画面５Ａ（又は外部装置の表示部の表示画面）に順次表示している画像全体の形状及び画像長さ（縦長さ及び横長さ）が突然変化して違和感を生じさせることを回避することができる。
【０３５９】
さらにデジタルスチルカメラ１は、合成サムネイル４０を生成する際、単位画サムネイル４０Ｂ及び静止画サムネイル４０Ａの少なくとも一方に重畳強調処理を施すようにした。
【０３６０】
従ってデジタルスチルカメラ１は、表示部５の表示画面５Ａ（又は外部装置の表示部の表示画面）に合成サムネイル４０を表示したとき、その合成サムネイル４０において単位画サムネイル４０Ｂと、これに重畳する静止画サムネイル４０Ａとの絵柄がほとんど変わらない場合でも、重畳強調処理の効果により単位画サムネイル４９Ｂ及び静止画サムネイル４０Ａの境界を明確に判別させることができる。
【０３６１】
その結果、デジタルスチルカメラ１は、合成サムネイル４０が、これと同じ動画アスペクト比を有し単独で表示される単位画サムネイル４２と誤って認識され、関連付けている本静止画像と本動画像とに対応する静止画サムネイル４０Ａと単位画サムネイル４０Ｂとが、他の関連付けてはいない本静止画像や本動画像に対応する静止画サムネイルや単位画サムネイルと区別し難くなることを回避することができる。
【０３６２】
さらにデジタルスチルカメラ１は、本合成画像４５を生成する際、本静止画像４５Ａ及び先頭単位画像４５Ｂの少なくとも一方に重畳強調処理を施すようにした。
【０３６３】
従ってデジタルスチルカメラ１は、表示部５の表示画面５Ａ（又は外部装置の表示部の表示画面）に本合成画像４５を表示したとき、その本合成画像４５において先頭単位画像４５Ｂと、これに重畳する本静止画像４５Ａとの絵柄がほとんど変わらない場合でも、重畳強調処理の効果により先頭単位画像４５Ｂ及び本静止画像４５Ａの境界を明確に判別させることができる。
【０３６４】
よってデジタルスチルカメラ１は、本合成画像４５を表示する場合も、当該本合成画像４５が、本静止画像４５Ａの重畳されていない先頭単位画像４５Ｂと誤って認識され、関連付けている本静止画像及び本動画像が、他の関連付けてはいない本静止画像や本動画像と区別し難くなることを回避することができる。
【０３６５】
（２）他の実施の形態
（２−１）他の実施の形態１
なお上述した実施の形態においては、被写体を時分割で静止画撮像及び動画撮像して生成した本静止画像データ及び本動画像データを関連付けるようにした場合について述べた。
【０３６６】
しかしながら本発明は、これに限らず、被写体を単独又は時分割で静止画撮像及び動画撮像して生成した本静止画像データと、本動画像データとを、例えば撮像日時や撮像場所、被写体等に応じて任意に選択させて関連付けるようにしても良い。
【０３６７】
そして本発明は、このように本静止画像データと本動画像データとを任意に選択させて関連付けた場合も、上述と同様に、合成サムネイル４０や本合成画像４５により、関連付けている本静止画像データと本動画像データとを、他の関連付けてはいない本静止画像データや本動画像データと区別させることができる。
【０３６８】
これに加えて本発明は、１つの本静止画像データと、１つの本動画像データとを関連付けるのみならず、本静止画像データと本動画像データとを少なくとも一方は、２以上として関連付けるようにしても良い。
【０３６９】
そして本発明は、かかる構成の場合、例えば、図１９（Ａ）に示すように、表示部５の表示画面５Ａ（又は外部装置の表示部の表示画面）に本合成画像（又は合成サムネイル）５０として、複数の本動画像各々の先頭単位画像（又は単位画サムネイル）５１Ａ乃至５１Ｄの一部に、１つの本静止画像（又は１つの静止画サムネイル）５２を重畳して表示するようにしても良い。
【０３７０】
また、図１９（Ｂ）に示すように、本発明は、かかる構成の場合、表示部５の表示画面５Ａ（又は外部装置の表示部の表示画面）に本合成画像（又は合成サムネイル）５３として、１つの本動画像の先頭単位画像（又は単位画サムネイル）５４に、複数の本静止画像（又は複数の静止画サムネイル）５５Ａ乃至５５Ｄを重畳して表示するようにしても良い。
【０３７１】
さらに、図１９（Ｃ）に示すように、本発明は、かかる構成の場合、表示部５の表示画面５Ａ（又は外部装置の表示部の表示画面）に本合成画像（又は合成サムネイル）５６として、複数の本動画像の複数の先頭単位画像（又は単位画サムネイル）５１Ａ乃至５１Ｄに、複数の本静止画像（又は複数の静止画サムネイル）５５Ａ乃至５５Ｄを重畳して表示するようにしても良い。
【０３７２】
（２−２）他の実施の形態２
また上述した実施の形態においては、表示部５の表示画面５Ａ（又は外部装置の表示部の表示画面）に本合成画像４５（又は合成サムネイル４０）として、先頭単位画像４５Ｂ（又は単位画サムネイル４０Ｂ）の中央部分に、本静止画像４５Ａ（又は静止画サムネイル４０Ａ）を重畳して表示するようにした場合について述べた。
【０３７３】
しかしながら本発明は、これに限らず、図２０に示すように、表示部５の表示画面５Ａ（又は外部装置の表示部の表示画面）に本合成画像６０（又は合成サムネイル）として、先頭単位画像６０Ａ（又は単位画サムネイル）の右端寄りに、本静止画像６０Ｂ（又は静止画サムネイル）を重畳して表示するようにしても良い。
【０３７４】
また図２１に示すように、本発明は、表示部５の表示画面５Ａ（又は外部装置の表示部の表示画面）に本合成画像６１（又は合成サムネイル）として、先頭単位画像６１Ａ（又は単位画サムネイル）の左端寄りに、本静止画像６１Ｂ（又は静止画サムネイル）を重畳して表示するようにしても良い。
【０３７５】
さらに図２２に示すように、本発明は、表示部５の表示画面５Ａ（又は外部装置の表示部の表示画面）に本合成画像６２（又は合成サムネイル）として、先頭単位画像６２Ａ（又は単位画サムネイル）の中心部分に、当該先頭単位画像６２Ａの動画縦長さよりも静止画縦長さの短い本静止画像６２Ｂ（又は静止画サムネイル）を重畳して表示するようにしても良い。
【０３７６】
（２−３）他の実施の形態３
さらに上述した実施の形態においては、一覧表示命令の入力に応じて、表示部５の表示画面５Ａ（又は外部装置の表示部の表示画面）に、合成サムネイル４０や静止画サムネイル４１、単位画サムネイル４２をマトリクス状に配置して表示するようにした場合について述べた。
【０３７７】
しかしながら本発明は、これに限らず、例えば、図２３及び図２４に示すように、表示部５の表示画面５Ａ（又は外部装置の表示部の表示画面）に、少なくとも合成サムネイル４０を、画面縦方向に沿って一列、又は画面横方向に沿って一列に表示し、適宜スクロールさせるようにしても良い。
【０３７８】
（２−４）他の実施の形態４
さらに上述した実施の形態においては、表示部５の表示画面５Ａ（又は外部装置の表示部の表示画面）に合成サムネイル４０として、単位画サムネイル４０Ｂの一部を静止画サムネイル４０Ａに置き換える（すなわち、単位画サムネイル４０Ｂの一部に静止画サムネイル４０Ａを上書きする）ように、当該単位画サムネイル４０Ｂの一部に静止画サムネイル４０Ａを重畳して表示するようにした場合について述べた。
【０３７９】
しかしながら本発明は、これに限らず、表示部５の表示画面５Ａ（又は外部装置の表示部の表示画面）に合成サムネイル４０として、単位画サムネイル４０Ｂの一部に、当該一部を透過させるように静止画サムネイル４０Ａを重畳して（すなわち、単位画サムネイル４０Ｂの一部に、当該一部を透過させるように静止画サムネイル４０Ａを合成した状態で）表示するようにしても良い。
【０３８０】
また本発明は、本合成画像４５についても、表示部５の表示画面５Ａ（又は外部装置の表示部の表示画面）に当該本合成画像４５として、先頭単位画像４５Ｂの一部に、当該一部を透過させるように本静止画像４５Ａを重畳して（すなわち、先頭単位画像４５Ｂの一部に、当該一部を透過させるように本静止画像４５Ａを合成した状態で）表示するようにしても良い。
【０３８１】
（２−５）他の実施の形態５
さらに上述した実施の形態においては、表示部５の表示画面５Ａ（又は外部装置の表示部の表示画面）に合成サムネイル４０や静止画サムネイル４１、単位画サムネイル４２を一覧表示して、再生対象の本静止画像データや本動画像データを選択させるようにした場合について述べた。
【０３８２】
しかしながら本発明は、これに限らず、合成サムネイル４０や静止画サムネイル４１、単位画サムネイル４２を一覧表示はせずに、本静止画像データ及び本動画像データを、関連付けられているか否かにかかわらずに、例えば、記録日時に準じた順番で再生する。
【０３８３】
そして本発明は、関連付けられている本静止画像データ及び本動画像データを再生するときのみ、上述したように本合成画像４５を表示するようにして、当該本静止画像データと本動画像データとを自動的に連続して再生するようにしても良い。
【０３８４】
（２−６）他の実施の形態６
さらに上述した実施の形態においては、合成サムネイル４０や本合成画像４５の生成に、本動画像データに含まれる複数の本単位画像データのうち先頭単位画像データを用いるようにした場合について述べた。
【０３８５】
しかしながら本発明は、これに限らず、合成サムネイル４０や本合成画像４５の生成に、本動画像データに含まれる複数の本単位画像データのうち、先頭単位画像データよりも時間的に後の本単位画像データ（最後尾の本単位画像データや、先頭単位画像データと最後尾の本単位画像データとの間の本単位画像データ）を用いるようにしても良い。
【０３８６】
（２−７）他の実施の形態７
さらに上述した実施の形態においては、関連付けられている本静止画像データと本動画像データとを自動的に連続して再生し、当該本動画像データの再生が終了すると、一覧表示に戻るようにした場合について述べた。
【０３８７】
しかしながら本発明は、これに限らず、関連付けられている本静止画像データと本動画像データとを自動的に連続して再生し、当該本動画像データの再生が終了したときには、再び本合成画像４５を表示するようにしても良い。
【０３８８】
そして本発明は、かかる構成の場合、本動画像データの再生が終了したときに表示する本合成画像４５を、当該本動画像データに含まれる先頭単位画像データ以外の他の本単位画像データ（例えば、最後尾の本単位画像データ）と本静止画像データとを合成して生成するようにしても良い。
【０３８９】
（２−８）他の実施の形態８
さらに上述した実施の形態においては、表示部５の表示画面５Ａ（又は外部装置の表示部の表示画面）に合成サムネイル４０や静止画サムネイル４１、単位画サムネイル４２を一覧表示した状態で、ユーザにより任意に合成サムネイル４０が選択されると、当該選択された合成サムネイル４０に対応する、関連付けられている本静止画像データと本動画像データとを自動的に連続して再生するようにした場合について述べた。
【０３９０】
しかしながら本発明は、これに限らず、例えば、被写体を時分割で静止画撮像及び動画撮像したときに、本動画像データを形成する複数の本単位画像データそれぞれに画像縮小処理を施す。
【０３９１】
これにより本発明は、時間的に連続する複数の単位画サムネイル（すなわち、複数の単位画サムネイルデータ）によって形成される動画像（以下、これを動画サムネイルとも呼ぶ）の動画像データ（以下、これを動画サムネイルデータとも呼ぶ）を生成する。
【０３９２】
また本発明は、その動画サムネイルデータを、静止画サムネイルデータと関連付けて記録する。
【０３９３】
そして本発明は、表示部５の表示画面５Ａ（又は外部装置の表示部の表示画面）に合成サムネイル４０や静止画サムネイル４１、単位画サムネイル４２を一覧表示した状態で、ユーザにより任意に合成サムネイル４０が選択されると、例えば、その一覧表示を継続したまま、その選択された合成サムネイル４０に換えて当該合成サムネイル４０を構成する静止画サムネイル４０Ａ及び単位画サムネイル４０Ｂのうち単位画サムネイル４０Ｂのみを表示した後、自動的に動画サムネイルデータを再生する。
【０３９４】
これにより本発明は、表示部５の表示画面５Ａ（又は外部装置の表示部の表示画面）に、合成サムネイル４０を構成する単位画サムネイル４０Ｂのみの表示に換えて、動画サムネイルデータに基づく動画サムネイル（すなわち、時間的に連続する複数の単位画サムネイル）を表示する。
【０３９５】
このようにして本発明は、表示部５の表示画面５Ａ（又は外部装置の表示部の表示画面）に合成サムネイル４０や静止画サムネイル４１、単位画サムネイル４２を一覧表示した状態で、関連付けられている静止画サムネイルデータと動画サムネイルデータとを、合成サムネイルデータ及び動画サムネイルデータとして自動的に連続して再生するようにしても良い。
【０３９６】
かかる構成によれば、本発明は、表示部５の表示画面５Ａ（又は外部装置の表示部の表示画面）に合成サムネイル４０や静止画サムネイル４１、単位画サムネイル４２を一覧表示している状態でも、本静止画像データに関連付けられている本動画像データを動画サムネイルデータとして再生して当該本動画像データに基づく本動画像を動画サムネイルとして見せることができる。
【０３９７】
また本発明は、図２５に示すように、関連付けられている複数組の本静止画像データ及び本動画像データのファイル名を順番に登録した再生リスト７０を作成する。
【０３９８】
そして本発明は、その再生リストに従い、関連付けられている本静止画像データ及び本動画像データ毎に、当該本静止画像データを本合成画像データとして再生した後、本動画像データを自動的に再生する（すなわち、本静止画像データとしての本合成画像データと、本動画像データとを順次交互に再生する）ようにしても良い。
【０３９９】
因みに、図２５に示す再生リスト７０については、例えばファイル化してファイル名（例えば、ＬＩＮＫ００００．ＤＡＴ）を付すことで管理することができる。そして、かかるファイル名では、例えば、ファイル名本体に通し番号を格納可能な構成にすることで、複数種類の再生ファイルを個別に管理可能な状態に作成させることができる。
【０４００】
（２−９）他の実施の形態９
さらに上述した実施の形態においては、16：９の動画アスペクト比を有する本動画像の本動画像データ、及び４：３の静止画アスペクト比を有する本静止画像の本静止画像データを生成するようにした場合について述べた。
【０４０１】
しかしながら本発明は、これに限らず、４：３の動画アスペクト比を有する本動画像の本動画像データ、及び３：２の静止画アスペクト比を有する本静止画像の本静止画像データを生成する等のように、互いに異なるこの他種々の動画アスペクト比を有する本動画像の本動画像データ、及び静止画アスペクト比を有する本静止画像の本静止画像データを生成するようにしても良い。
【０４０２】
（２−１０）他の実施の形態１０
さらに上述した実施の形態においては、被写体を静止画撮像及び動画撮像して本静止画像データ及び本動画像データを生成したときに、静止画サムネイルデータ及び単位画サムネイルデータも生成するようにした場合について述べた。
【０４０３】
しかしながら本発明は、これに限らず、合成サムネイル４０や静止画サムネイル４１、単位画サムネイル４２を一覧表示するように要求されたとき（すなわち、一覧表示命令が入力されたとき）、静止画サムネイルデータ及び単位画サムネイルデータを生成すると共に、これらを用いて合成サムネイルデータを生成するようにしても良い。
【０４０４】
（２−１１）他の実施の形態１１
さらに上述した実施の形態においては、静止画撮像用の１つの画像データにトリミング処理（又は、クロップ処理）を施すと共に、画像縮小処理を施して、４：３のアスペクト比を有する本静止画像の本静止画像データを生成するようにした場合について述べた。
【０４０５】
しかしながら本発明は、これに限らず、静止画像について予め選定された静止画像サイズに応じて、静止画撮像用の１つの画像データにトリミング処理（又は、クロップ処理）を施すことで、４：３のアスペクト比を有する本静止画像の本静止画像データを生成するようにしても良い。
【０４０６】
そして本発明は、本動画像データについても、動画像について予め選定された動画像サイズに応じて、動画撮像用の複数の画像データにトリミング処理（又は、クロップ処理）を施すことで、16：９のアスペクト比を有する時間的に連続な複数の本単位画像によって形成される本動画像の当該本動画像データを生成するようにしても良い。
【０４０７】
（２−１２）他の実施の形態１２
さらに上述した実施の形態においては、合成サムネイル４０に対し、静止画サムネイル４０Ａと単位画サムネイル４０Ｂとの絵柄の違いの程度にかかわらずに、重畳強調処理を施すようにした場合について述べた。
【０４０８】
しかしながら本発明は、これに限らず、合成サムネイル４０についても、本合成画像４５の場合と同様に、当該合成サムネイル４０を生成する際に重畳強調処理を実行するか否かを、予めユーザに任意に選択させて設定し、また当該重畳強調処理の実行の有無を自動で判断するか否かも選択させて設定して、その設定に従って合成サムネイル４０に重畳強調処理を適宜施すようにしても良い。
【０４０９】
また本発明は、合成サムネイル４０に施す重畳強調処理の種類についても、本合成画像４０の場合と同様の複数種類の重畳強調処理の中から任意に１つの重畳強調処理を選択させるようにしても良い。
【０４１０】
（２−１３）他の実施の形態１３
さらに上述した実施の形態においては、本発明による表示制御プログラムをデジタルスチルカメラ１のＲＯＭ１２に予め記憶された表示制御プログラムに適用し、当該デジタルスチルカメラ１の中央処理ユニット１０が、当該ＲＯＭ１２に予め記憶された表示制御プログラムに従って、図１７について上述した合成サムネイル表示処理手順ＲＴ１や図１８について上述した連続再生処理手順ＲＴ２を実行するようにした場合について述べた。
【０４１１】
しかしながら本発明は、これに限らず、デジタルスチルカメラ１に、表示制御プログラムが記録されたコンピュータ読取可能な記録媒体によって当該表示制御プログラムをインストールし、中央処理ユニット１０が、そのインストールした表示制御プログラムに従って、合成サムネイル表示処理手順ＲＴ１及び連続再生処理手順ＲＴ２を実行するようにしても良い。
【０４１２】
またデジタルスチルカメラ１では、ローカルエリアネットワークやインターネット、デジタル衛星放送等の有線及び無線通信媒体、コンピュータ装置を利用して外部から表示制御プログラムをインストールするようにしても良い。
【０４１３】
さらに表示制御プログラムをデジタルスチルカメラ１にインストールして実行可能な状態にするためのコンピュータ読取可能な記録媒体としては、例えばフレキシブルディスクのようなパッケージメディアで実現しても良い。
【０４１４】
また表示制御プログラムをデジタルスチルカメラ１にインストールして実行可能な状態にするためのコンピュータ読取可能な記録媒体としては、ＣＤ−ＲＯＭ（Compact  Disc-Read  Only  Memory）のようなパッケージメディアで実現しても良い。
【０４１５】
さらに表示制御プログラムをデジタルスチルカメラ１にインストールして実行可能な状態にするためのコンピュータ読取可能な記録媒体としては、ＤＶＤ（Digital  Versatile  Disc）等のパッケージメディアで実現しても良い。
【０４１６】
さらに、かかるコンピュータ読取可能な記録媒体としては、パッケージメディアのみならず、各種プログラムが一時的もしくは永続的に記録される半導体メモリや磁気ディスク等で実現しても良い。
【０４１７】
また、これらコンピュータ読取可能な記録媒体に表示制御プログラムを記録する手段としては、ローカルエリアネットワークやインターネット、デジタル衛星放送等の有線及び無線通信媒体を利用しても良い。
【０４１８】
さらにコンピュータ読取可能な記録媒体に表示制御プログラムを記録する手段としては、ルータやモデム等の各種通信インタフェースを介して記録するようにしても良い。
【０４１９】
（２−１４）他の実施の形態１４
さらに上述した実施の形態においては、本発明による表示制御装置を、図１乃至図２５について上述したデジタルスチルカメラ１に適用するようにした場合について述べた。
【０４２０】
しかしながら本発明は、これに限らず、パーソナルコンピュータや携帯電話機、ＰＤＡ（Personal  Digital  Assistance）、ゲーム機器等の情報処理装置、ハードディスクレコーダ等の記録再生装置等のように、アスペクト比の異なる本静止画像の本静止画像データ及び本動画像の本動画像データを記録し、又は外部から取得して再生可能な、この他種々の構成の表示制御装置に広く適用することができる。
【０４２１】
（２−１５）他の実施の形態１５
さらに上述した実施の形態においては、動画アスペクト比を有する時間的に連続な複数の単位画像によって形成される動画像の当該単位画像の一部に、動画像と関連付けられ、動画アスペクト比とは異なる静止画アスペクト比を有する静止画像を重畳するように、単位画像と静止画像とを合成して合成画像を生成する合成画像生成部として、図１乃至図２５について上述した中央処理ユニット１０を適用するようにした場合について述べた。
【０４２２】
しかしながら本発明は、これに限らず、マイクロプロセッサ及びＶ−ＲＡＭ（Video-Random  Access  Memory）や、動画アスペクト比を有する時間的に連続な複数の単位画像によって形成される動画像の当該単位画像の一部に、動画像と関連付けられ、動画アスペクト比とは異なる静止画アスペクト比を有する静止画像を重畳するように、単位画像と静止画像とを合成して合成画像を生成するハードウェア回路構成の合成画像生成回路等のように、この他種々の構成の合成画像生成部を広く適用することができる。
【０４２３】
（２−１６）他の実施の形態１６
さらに上述した実施の形態においては、表示部の表示画面に合成画像を表示する表示制御部として、図１乃至図２５について上述した中央処理ユニット１０を適用するようにした場合について述べた。
【０４２４】
しかしながら本発明は、これに限らず、マイクロプロセッサや、表示部の表示画面に合成画像を表示するハードウェア回路構成の表示制御回路等のように、この他種々の構成の表示制御部を広く適用することができる。
【０４２５】
（２−１７）他の実施の形態１７
さらに上述した実施の形態においては、合成画像の先頭単位画像と静止画像との境界部分に、先頭単位画像への静止画像の重畳を強調する重畳強調処理を施す重畳強調処理部として、図１乃至図２５について上述した中央処理ユニット１０を適用するようにした場合について述べた。
【０４２６】
しかしながら本発明は、これに限らず、マイクロプロセッサや、合成画像の先頭単位画像と静止画像との境界部分に、先頭単位画像への静止画像の重畳を強調する（例えば、写真のフレーム枠やテレビジョンモニタの枠等を想起させるような画像を重畳する）重畳強調処理を施すハードウェア回路構成の重畳強調処理回路等のように、この他種々の構成の重畳強調処理部を広く適用することができる。
【産業上の利用可能性】
【０４２７】
本発明は、デジタルスチルカメラやパーソナルコンピュータ、携帯電話機等の表示制御装置に利用することができる。
【図面の簡単な説明】
【０４２８】
【図１】本発明によるデジタルスチルカメラの回路構成の一実施の形態を示すブロック図である。
【図２】本実施の形態によるデジタルスチルカメラの外観構成を示す略線図である。
【図３】本静止画像データの生成の説明に供する略線図である。
【図４】本動画像データの生成の説明に供する略線図である。
【図５】ファイル名の構成を示す略線図である。
【図６】サムネイルの一覧表示の説明に供する略線図である。
【図７】合成サムネイルの構成を示す略線図である。
【図８】本合成画像の構成を示す略線図である。
【図９】本合成画像の表示から本動画像の表示への切り換え（１）の説明に供する略線図である。
【図１０】本合成画像における重畳強調処理（１）の説明に供する略線図である。
【図１１】本合成画像における重畳強調処理（２）の説明に供する略線図である。
【図１２】本合成画像における重畳強調処理（３）の説明に供する略線図である。
【図１３】本合成画像の表示から本動画像の表示への切り換え（２）の説明に供する略線図である。
【図１４】本合成画像の表示から本動画像の表示への切り換え（３）の説明に供する略線図である。
【図１５】本合成画像の表示から本動画像の表示への切り換え（４）の説明に供する略線図である。
【図１６】本合成画像の表示から本動画像の表示への切り換え（５）の説明に供する略線図である。
【図１７】合成サムネイル表示処理手順を示すフローチャートである。
【図１８】連続再生処理手順を示すフローチャートである。
【図１９】他の実施の形態による関連付けられている本静止画像と本動画像の本単位画像との表示の説明に供する略線図である。
【図２０】他の実施の形態による本合成画像の構成（１）を示す略線図である。
【図２１】他の実施の形態による本合成画像の構成（２）を示す略線図である。
【図２２】他の実施の形態による本合成画像の構成（３）を示す略線図である。
【図２３】他の実施の形態による合成サムネイルの表示（１）の説明に供する略線図である。
【図２４】他の実施の形態による合成サムネイルの表示（２）の説明に供する略線図である。
【図２５】再生リストの構成を示す略線図である。
【符号の説明】
【０４２９】
１……デジタルスチルカメラ、５……表示部、５Ａ……表示画面、１０……中央処理ユニット、２１……バッファメモリ、４０……合成サムネイル、４０Ａ……静止画サムネイル、４０Ｂ……単位画サムネイル、４３Ａ、４３Ｂ……境界線画像、４５乃至４８……本合成画像、４５Ａ……本静止画像、４５Ｂ、４６Ａ、４７Ａ……先頭単位画像、４９Ａ、４９Ｂ……装飾画像、ＲＴ１……合成サムネイル表示処理手順、ＲＴ２……連続再生処理手順。
【図１】
0005067308.tif 000002
【図２】
0005067308.tif 000003
【図３】
0005067308.tif 000004
【図４】
0005067308.tif 000005
【図５】
0005067308.tif 000006
【図６】
0005067308.tif 000007
【図７】
0005067308.tif 000008
【図８】
0005067308.tif 000009
【図９】
0005067308.tif 000010
【図１０】
0005067308.tif 000011
【図１１】
0005067308.tif 000012
【図１２】
0005067308.tif 000013
【図１３】
0005067308.tif 000014
【図１４】
0005067308.tif 000015
【図１５】
0005067308.tif 000016
【図１６】
0005067308.tif 000017
【図１７】
0005067308.tif 000018
【図１８】
0005067308.tif 000019
【図１９】
0005067308.tif 000020
【図２０】
0005067308.tif 000021
【図２１】
0005067308.tif 000022
【図２２】
0005067308.tif 000023
【図２３】
0005067308.tif 000024
【図２４】
0005067308.tif 000025
【図２５】
0005067308.tif 000026